(57)【要約】  制御チャネルにおける資源ブロック割り当ての柔軟なシグナリングを採用するのを容易にするシステム及び方法が説明される。アップリンクチャネル又はダウンリンクチャネルと関連づけられた資源ブロックを複数のグループに分割することができ、グループ固有シグナリング制約事項をこれらのグループの各々とともに利用することができる。例えば、前記グループ固有シグナリング制約事項は、前記各々のグループ内において資源ブロックを割り振る割り当て表示を送信するために利用される最小資源ブロック割り振り単位、シグナリング構造（例えば、ビットマップ構造、連続割り振り構造、ツリーに基づく構造、等）に関連することができる。さらに、アクセス端末は、前記グループ固有シグナリング制約事項に関して共通の理解を有することができ、従って、受信された割り当て表示は、前記グループ固有シグナリング制約事項を利用することによって前記アクセス端末によって解読することができる。【選択図】図４
2010526499.tif 000002
【特許請求の範囲】
【請求項１】
無線通信環境においてチャネルの資源ブロックを割り振るのを容易にする方法であって、
ダウンリンクを介して複数の資源ブロックグループに関するグループ固有シグナリング制約事項に関連する情報を送信することと、
前記グループのうちの１つ以上からの資源ブロックをアクセス端末に割り当てることと、
前記グループ固有シグナリング制約事項を用いて前記割り当てられた資源ブロックを前記アクセス端末にシグナリングすること、とを備える、方法。
【請求項２】
前記資源ブロックは、物理的アップリンク共有チャネル（ＰＵＳＣＨ）と関連づけられる請求項１に記載の方法。
【請求項３】
前記資源ブロックは、物理的ダウンリンク共有チャネル（ＰＤＳＣＨ）と関連づけられる請求項１に記載の方法。
【請求項４】
前記資源ブロックを前記複数のグループに分割することをさらに備え、前記資源ブロックの各々は、前記複数のグループのうちの１つに含められる請求項１に記載の方法。
【請求項５】
前記複数のグループの各々に関する前記グループ固有シグナリング制約事項を選択することをさらに備える請求項１に記載の方法。
【請求項６】
前記グループ固有シグナリング制約事項は、前記複数のグループの各々に関する各々の最小資源ブロック割り振り単位を含む請求項１に記載の方法。
【請求項７】
前記グループ固有シグナリング制約事項は、前記複数のグループの各々に関する各々のシグナリング構造を含む請求項１に記載の方法。
【請求項８】
前記各々のシグナリング構造の各々は、ビットマップ構造、連続割り振り構造、又はツリーに基づく構造のうちの１つである請求項７に記載の方法。
【請求項９】
前記グループ固有シグナリング制約事項は、前記複数のグループの各々に含まれる資源ブロックの各々の明示を含む請求項１に記載の方法。
【請求項１０】
ブロードキャストチャネルを介して前記グループ固有シグナリング制約事項に関連する前記情報を近隣のアクセス端末に送信することをさらに備える請求項１に記載の方法。
【請求項１１】
前記複数のグループの各々に関する前記グループ固有シグナリング制約事項に従って前記資源ブロックを割り当てることをさらに備える請求項１に記載の方法。
【請求項１２】
物理的ダウンリンク制御チャネル（ＰＤＣＣＨ）を介して前記割り当てられた資源ブロックをシグナリングすることをさらに備える請求項１に記載の方法。
【請求項１３】
無線通信装置であって、
グループ固有シグナリング制約事項に少なくとも部分的に基づいて１つ以上の資源ブロックグループからの資源ブロックをアクセス端末に割り振ること、及び前記グループ固有シグナリング制約事項を用いて前記資源ブロック割り振りの表示を前記アクセス端末に転送することに関連する命令を保持するメモリと、
前記メモリに結合されて前記メモリ内に保持された前記命令を実行するように構成されたプロセッサと、を備える、無線通信装置。
【請求項１４】
前記メモリは、チャネルと関連づけられた総資源ブロック数を複数のグループに分割することに関連する命令をさらに保持し、前記資源ブロックの各々は前記複数のグループのうちの１つに含められる請求項１３に記載の無線通信装置。
【請求項１５】
前記メモリは、前記資源ブロックの複数のグループに関する前記グループ固有シグナリング制約事項に関連する情報をブロードキャストチャネルを介して近隣の少なくとも１つのアクセス端末に転送することに関連する命令をさらに保持する請求項１３に記載の無線通信装置。
【請求項１６】
前記資源ブロックは、アップリンクデータチャネルと関連づけられる請求項１３に記載の無線通信装置。
【請求項１７】
前記資源ブロックは、ダウンリンクデータチャネルと関連づけられる請求項１３に記載の無線通信装置。
【請求項１８】
前記メモリは、前記グループ固有シグナリング制約事項を決定することに関連する命令をさらに保持する請求項１３に記載の無線通信装置。
【請求項１９】
前記グループ固有シグナリング制約事項は、複数の資源ブロックグループの各々に関する各々の最小資源ブロック割り振り単位を含む請求項１３に記載の無線通信装置。
【請求項２０】
前記グループ固有シグナリング制約事項は、複数の資源ブロックグループの各々に関する各々のシグナリング構造を含み、前記各々のシグナリング構造の各々は、ビットマップ構造、連続割り振り構造、又はツリーに基づく構造のうちの１つである請求項１３に記載の無線通信装置。
【請求項２１】
前記グループ固有シグナリング制約事項は、前記複数のグループの各々に関する資源ブロックの選択の各々の明示を含む請求項１３に記載の無線通信装置。
【請求項２２】
前記メモリは、制御チャネルを介して前記資源ブロック割り振りの前記表示を転送することに関連する命令をさらに保持する請求項１３に記載の無線通信装置。
【請求項２３】
無線通信環境において柔軟な資源ブロック割り当てシグナリング方式を利用するのを可能にする無線通信装置であって、
複数の資源ブロックグループに関するグループ固有シグナリング制約事項に関連する情報を送信するための手段と、
少なくとも１つのグループからの資源ブロックをアクセス端末に割り振るための手段と、
前記グループ固有シグナリング制約事項を用いて前記割り振られた資源ブロックに対応する表示を前記アクセス端末に送信するための手段と、を備える、無線通信装置。
【請求項２４】
前記資源ブロックを前記複数のグループに分離するための手段をさらに備える請求項２３に記載の無線通信装置。
【請求項２５】
前記複数のグループの各々に関する前記グループ固有シグナリング制約事項を決定するための手段をさらに備える請求項２３に記載の無線通信装置。
【請求項２６】
前記グループ固有シグナリング制約事項は、前記複数のグループの各々に関する各々の最小資源ブロック割り振り単位を含む請求項２３に記載の無線通信装置。
【請求項２７】
前記グループ固有シグナリング制約事項は、前記複数のグループの各々に関する各々のシグナリング構造を含み、前記各々のシグナリング構造の各々は、ビットマップ構造、連続割り振り構造、又はツリーに基づく構造のうちの１つである請求項２３に記載の無線通信装置。
【請求項２８】
第１のグループは、第２のグループと関連づけられた第２のシグナリング構造と異なる第１のシグナリング構造と関連づけられる請求項２７に記載の無線通信装置。
【請求項２９】
前記グループ固有シグナリング制約事項は、前記複数のグループの各々に含まれる資源ブロックの各々の明示を含む請求項２３に記載の無線通信装置。
【請求項３０】
制御チャネルを介して前記割り振られた資源ブロックに対応する前記表示を送信するための手段をさらに備える請求項２３に記載の無線通信装置。
【請求項３１】
コンピュータブロック製品であって、
複数の資源ブロックグループに関するグループ固有シグナリング制約事項に関連する情報を転送するための符号と、
少なくとも１つのグループからの資源ブロックをアクセス端末に割り振るための符号と、
前記グループ固有シグナリング制約事項を用いて前記割り振られた資源ブロックに対応する表示を前記アクセス端末に送信するための符号と、を備えるコンピュータによって読み取り可能な媒体を備える、コンピュータプログラム製品。
【請求項３２】
前記コンピュータによって読み取り可能な媒体は、前記資源ブロックを前記複数のグループに分離するための符号をさらに備える請求項３１に記載のコンピュータプログラム製品。
【請求項３３】
前記コンピュータによって読み取り可能な媒体は、前記複数のグループの各々に関する前記グループ固有シグナリング制約事項を決定するための符号をさらに備える請求項３１に記載のコンピュータプログラム製品。
【請求項３４】
前記グループ固有シグナリング制約事項は、前記複数のグループの各々に関する各々の最小資源ブロック割り振り単位を含む請求項３１に記載のコンピュータプログラム製品。
【請求項３５】
前記グループ固有シグナリング制約事項は、前記複数のグループの各々に関する各々のシグナリング構造を含み、前記各々のシグナリング構造の各々は、ビットマップ構造、連続割り振り構造、又はツリーに基づく構造のうちの１つである請求項３１に記載のコンピュータプログラム製品。
【請求項３６】
前記グループ固有シグナリング制約事項は、前記複数のグループの各々に含まれる資源ブロックの選択に関する各々の明示の情報を含む請求項３１に記載のコンピュータプログラム製品。
【請求項３７】
前記コンピュータによって読み取り可能な媒体は、物理的ダウンリンク制御チャネル（ＰＤＣＣＨ）を介して前記割り振られた資源ブロックに対応する前記表示を送信するための符号をさらに備える請求項３１に記載のコンピュータプログラム製品。
【請求項３８】
無線通信システムにおいて、装置であって、
グループ固有シグナリング制約事項に少なくとも部分的に基づいて１つ以上の資源ブロックグループからの資源ブロックをアクセス端末に割り振り、及び
制御チャネルを通じて前記グループ固有シグナリング制約事項を用いて前記資源ブロック割り振りの表示を前記アクセス端末に転送するように構成されたプロセッサを備える、装置。
【請求項３９】
無線通信環境において資源ブロック割り当てを入手するのを容易にする方法であって、
複数の資源ブロックグループに関するグループ固有シグナリング制約事項に関連する情報を基地局から受信することと、
前記グループ固有シグナリング制約事項を利用して前記基地局から転送された割り当てメッセージを受信することと、
前記グループ固有シグナリング制約事項に基づいて前記割り当てメッセージを解読することによって割り振られた資源ブロックを決定すること、とを備える、方法。
【請求項４０】
前記資源ブロックは、アップリンクチャネルと関連づけられる請求項３９に記載の方法。
【請求項４１】
前記資源ブロックは、ダウンリンクチャネルと関連づけられる請求項３９に記載の方法。
【請求項４２】
前記グループ固有シグナリング制約事項は、前記複数のグループの各々に関する最小資源ブロック割り振り単位に関連する請求項３９に記載の方法。
【請求項４３】
前記グループ固有シグナリング制約事項は、前記複数のグループの各々に関するシグナリング構造に関連する請求項３９に記載の方法。
【請求項４４】
前記シグナリング構造の各々は、ビットマップ構造、連続割り振り構造、又はツリーに基づく構造のうちの１つである請求項４３に記載の方法。
【請求項４５】
前記グループ固有シグナリング制約事項は、前記複数のグループの各々に関する資源ブロックの選択に関連する請求項３９に記載の方法。
【請求項４６】
前記複数のグループのうちの幾つか又は前記複数のグループの各々における幾つかの資源ブロックのうちの少なくとも１つに関連する情報をさらに受信する請求項３９に記載の方法。
【請求項４７】
前記グループ固有シグナリング制約事項をメモリに格納することをさらに備える請求項３９に記載の方法。
【請求項４８】
異種のグループ固有シグナリング制約事項に関連する異種の情報を異種の基地局から受信することと、
前記異種のグループ固有シグナリング制約事項をメモリに格納することと、
前記異種の基地局から入手された異種の割り当てメッセージを解読時に前記異種のグループ固有シグナリング制約事項を利用すること、とをさらに備える請求項４７に記載の方法。
【請求項４９】
制御チャネルを介して前記割り当てメッセージを受信することをさらに備える請求項３９に記載の方法。
【請求項５０】
前記割り振られた資源ブロックは、前記複数のグループのうちの１つ以上からの資源ブロックである請求項３９に記載の方法。
【請求項５１】
無線通信装置であって、
制御チャネルを介してグループ固有シグナリング制約事項を利用して基地局から転送された割り当てメッセージを入手すること、及び前記グループ固有シグナリング制約事項を有する前記割り当てメッセージを解析することによって１つ以上の資源ブロックグループからの割り当てられた資源ブロックを決定することに関連する命令を保持するメモリと、
前記メモリに結合されて前記メモリ内に保持される前記命令を実行するように構成されたプロセッサと、を備える、無線通信装置。
【請求項５２】
前記メモリは、前記基地局からの複数の資源ブロックグループに関する前記グループ固有シグナリング制約事項に関連する情報を入手することに関連する命令をさらに保持する請求項５１に記載の無線通信装置。
【請求項５３】
前記メモリは、前記割り当てメッセージを転送時に前記基地局によって利用される前記グループ固有シグナリング制約事項を導き出すことに関連する命令をさらに保持する請求項５１に記載の無線通信装置。
【請求項５４】
前記グループ固有シグナリング制約事項は、前記複数のグループの各々に関する最小資源ブロック割り振り単位に関連する請求項５１に記載の無線通信装置。
【請求項５５】
前記グループ固有シグナリング制約事項は、前記複数のグループの各々に関するシグナリング構造に関連し、前記シグナリング構造の各々は、ビットマップ構造、連続割り振り構造、又はツリーに基づく構造のうちの１つである請求項５１に記載の無線通信装置。
【請求項５６】
前記グループ固有シグナリング制約事項は、前記複数のグループの各々に含まれる資源ブロックの選択に関連する請求項５１に記載の無線通信装置。
【請求項５７】
前記メモリは、前記複数のグループのうちの幾つか又は前記複数のグループの各々における幾つかの資源ブロックのうちの少なくとも１つに関連する情報を受信することに関連する命令をさらに保持する請求項５１に記載の無線通信装置。
【請求項５８】
前記メモリは、前記グループ固有シグナリング制約事項を格納することに関連する命令をさらに保持する請求項５１に記載の無線通信装置。
【請求項５９】
無線通信環境において柔軟シグナリング方式を介して割り当てられる資源ブロックを採用するのを可能にする無線通信装置であって、
２つ以上の資源ブロックに関するグループ固有シグナリング制約事項に関連する情報を基地局から入手するための手段と、
前記グループのうちの１つ以上からの１つ以上の資源ブロックの割り当ての表示を入手するための手段であって、前記表示は、前記グループ固有シグナリング制約事項を用いて通信される手段と、
前記グループ固有シグナリング制約事項を用いて前記表示を評価して前記割り当てられた１つ以上の資源ブロックを認識するための手段と、を備える、無線通信装置。
【請求項６０】
前記グループ固有シグナリング制約事項は、前記２つ以上のグループの各々に関する最小資源ブロック割り振り単位に関連する請求項５９に記載の無線通信装置。
【請求項６１】
前記グループ固有シグナリング制約事項は、前記２つ以上のグループの各々に関するシグナリング構造に関連し、前記シグナリング構造の各々は、ビットマップ構造、連続割り振り構造、又はツリーに基づく構造のうちの１つである請求項５９に記載の無線通信装置。
【請求項６２】
前記グループ固有シグナリング制約事項は、前記２つ以上のグループの各々に含まれる資源ブロックの選択に関連する請求項５９に記載の無線通信装置。
【請求項６３】
幾つかのグループ又は前記グループの各々における幾つかの資源ブロックのうちの少なくとも１つに関連する情報を入手するための手段をさら備える請求項５９に記載の無線通信装置。
【請求項６４】
前記グループ固有シグナリング制約事項をメモリ内に保持することをさらに備える請求項５９に記載の無線通信装置。
【請求項６５】
コンピュータプログラム製品であって、
ブロードキャストチャネルを介して２つ以上の資源ブロックグループに関するグループ固有シグナリング制約事項に関連する情報を基地局から受信するための符号と、
前記グループのうちの１つ以上からの１つ以上の資源ブロックの割り当ての表示を受信するための符号であって、前記表示は、制御チャネルを介して前記グループ固有シグナリング制約事項を用いて通信される符号と、
前記グループ固有シグナリング制約事項を用いて前記表示を評価して前記割り当てられた１つ以上の資源ブロックを認識するための符号と、を備えるコンピュータによって読み取り可能な媒体を備える、コンピュータプログラム製品。
【請求項６６】
前記グループ固有シグナリング制約事項は、前記２つ以上のグループの各々に関する最小資源ブロック割り振り単位に関連する請求項６５に記載のコンピュータプログラム製品。
【請求項６７】
前記グループ固有シグナリング制約事項は、前記２つ以上のグループの各々に関するシグナリング構造に関連し、前記シグナリング構造の各々は、ビットマップ構造、連続割り振り構造、又はツリーに基づく構造のうちの１つである請求項６５に記載のコンピュータプログラム製品。
【請求項６８】
前記グループ固有シグナリング制約事項は、前記２つ以上のグループの各々に含まれる資源ブロックの選択に関連する請求項６５に記載のコンピュータプログラム製品。
【請求項６９】
前記コンピュータによって読み取り可能な媒体は、幾つかのグループ又は前記グループの各々における幾つかの資源ブロックのうちの少なくとも１つに関連する情報を受信するための符号をさら備える請求項６５に記載のコンピュータプログラム製品。
【請求項７０】
前記コンピュータによって読み取り可能な媒体は、前記グループ固有シグナリング制約事項をメモリ内に保持するための符号をさらに備える請求項６５に記載のコンピュータプログラム製品。
【請求項７１】
無線通信システムにおいて、装置であって、
制御チャネルを介してグループ固有シグナリング制約事項を利用して基地局から転送された割り当てメッセージを受信し、及び
前記グループ固有シグナリング制約事項を有する前記割り当てメッセージを解析することによって１つ以上の資源ブロックグループからの割り当てられた資源ブロックを決定するように構成されたプロセッサを備える、装置。
【請求項７２】
無線通信環境においてチャネルの資源ブロックを割り当てるのを容易にする方法であって、
１つ以上の資源ブロックがアクセス端末に割り振られる１つ以上のグループの明示を含む資源割り振り割り当てメッセージを生成することと、
前記資源割り振り割り当てメッセージを前記アクセス端末に送信すること、とを備える、方法。
【請求項７３】
前記１つ以上のグループの各々に関する各々のグループ固有シグナリング制約事項を利用して割り振られる前記１つ以上の資源ブロックをシグナリングすることをさらに備える請求項７２に記載の方法。
【請求項７４】
ビットマップサイズに基づいて選択された資源ブロックグループに含まれる一組の物理資源ブロックからの物理資源ブロックを示すことをさらに備える請求項７２に記載の方法。
【請求項７５】
前記選択された資源ブロックグループ内の物理資源ブロックをアドレッシングするために前記ビットマップのアドレッシング部分を利用することをさらに備え、前記ビットマップの前記アドレッシング部分内の各ビットは、前記選択された資源ブロックグループ内の単一のアドレッシング可能物理資源ブロックをアドレッシングする請求項７４に記載の方法。
【請求項７６】
無線通信装置であって、
１つ以上の資源ブロックがアクセス端末に割り振られる１つ以上のグループの明示を含む資源割り振り割り当てメッセージを生成すること及び前記資源割り振り割り当てメッセージを前記アクセス端末に送信することに関連する命令を保持するメモリと
前記メモリに結合されて前記メモリ内に保持された前記命令を実行するように構成されたプロセッサと、を備える、無線通信装置。
【請求項７７】
前記メモリは、前記１つ以上のグループの各々に関して各々のグループ固有シグナリング制約事項を利用して割り振られる前記１つ以上の資源ブロックをシグナリングすることに関連する命令をさらに保持する請求項７６に記載の無線通信装置。
【請求項７８】
前記メモリは、ビットマップサイズに基づいて選択された資源ブロックグループ内に含まれる一組の物理資源ブロックからの物理資源ブロックを示すことに関連する命令をさらに保持する請求項７６に記載の無線通信装置。
【請求項７９】
前記メモリは、前記選択された資源ブロックグループ内の物理資源ブロックをアドレッシングするために前記ビットマップのアドレッシング部分を用いることに関連する命令をさらに保持し、前記ビットマップの前記アドレッシング部分内の各ビットは、前記選択された資源ブロックグループ内の単一のアドレッシング可能物理資源ブロックをアドレッシングする請求項７８に記載の無線通信装置。
【請求項８０】
無線通信環境において資源ブロック割り当てをシグナリングするのを可能にする無線通信装置であって、
１つ以上の資源ブロックがアクセス端末に割り振られる１つ以上のグループの明示を含む割り当てメッセージを生成するための手段と、
前記割り当てメッセージを前記アクセス端末に転送するための手段と、を備える、無線通信装置。
【請求項８１】
前記１つ以上のグループの各々に関して各々のグループ固有シグナリング制約事項を利用して割り振られる前記１つ以上の資源ブロックをシグナリングするための手段をさらに備える請求項８０に記載の無線通信装置。
【請求項８２】
ビットマップサイズに基づいて選択された資源ブロックグループ内に含まれる一組の物理資源ブロックからの物理資源ブロックを示すための手段をさらに備える請求項８０に記載の無線通信装置。
【請求項８３】
前記選択された資源ブロックグループ内の物理資源ブロックをアドレッシングするために前記ビットマップのアドレッシング部分を用いるための手段をさらに備え、前記ビットマップの前記アドレッシング部分内の各ビットは、前記選択された資源ブロックグループ内の単一のアドレッシング可能物理資源ブロックをアドレッシングする請求項８２に記載の無線通信装置。
【請求項８４】
コンピュータプログラム製品であって、
１つ以上の資源ブロックがアクセス端末に割り振られる１つ以上のグループの明示を含む割り当てメッセージを生成するための符号と、
前記割り当てメッセージを前記アクセス端末に転送するための符号と、を備えるコンピュータによって読み取り可能な媒体を備える、コンピュータプログラム製品。
【請求項８５】
前記コンピュータによって読み取り可能な媒体は、前記１つ以上のグループの各々に関して各々のグループ固有シグナリング制約事項を利用して割り当てられる前記１つ以上の資源ブロックをシグナリングするための符号をさらに備える請求項８４に記載のコンピュータプログラム製品。
【請求項８６】
前記コンピュータによって読み取り可能な媒体は、ビットマップサイズに基づいて選択された資源ブロックグループ内に含まれる一組の物理資源ブロックからの物理資源ブロックを示すための符号をさらに備える請求項８４に記載のコンピュータプログラム製品。
【請求項８７】
前記コンピュータによって読み取り可能な媒体は、前記選択された資源ブロックグループ内の物理資源ブロックをアドレッシングするために前記ビットマップのアドレッシング部分を採用するための符号をさらに備え、前記ビットマップの前記アドレッシング部分内の各ビットは、前記選択された資源ブロックグループ内の単一のアドレッシング可能物理資源ブロックをアドレッシングする請求項８６に記載のコンピュータプログラム製品。
【請求項８８】
無線通信システムにおいて、装置であって、
１つ以上の資源ブロックがアクセス端末に割り振られる１つ以上のグループの明示を含む資源割り振り割り当てメッセージを生成し、及び
前記資源割り振り割り当てメッセージを前記アクセス端末に転送するように構成されたプロセッサを備える、装置。
【請求項８９】
無線通信環境において資源ブロック割り当てを受信するのを容易にする方法であって、
割り当てられる１つ以上の資源ブロックの割り当て源である１つ以上のグループの明示を含む資源割り振り割り当てメッセージを受信することと、
前記資源割り振り割り当てメッセージを解読することによって前記１つ以上の割り当てられた資源ブロックを決定すること、とを備える、方法。
【請求項９０】
前記資源割り振り割り当てメッセージは、グループ固有シグナリング制約事項を利用して基地局から転送される請求項８９に記載の方法。
【請求項９１】
ビットマップサイズに基づいて選択された資源ブロックグループ内に含まれる一組の物理資源ブロックからの物理資源ブロックを認識することをさらに備える請求項８９に記載の方法。
【請求項９２】
前記ビットマップのアドレッシング部分は、前記選択された資源ブロックグループ内の物理資源ブロックをアドレッシングし、前記ビットマップの前記アドレッシング部分内の各ビットは、前記選択された資源ブロックグループ内の単一のアドレッシング可能物理資源ブロックをアドレッシングする請求項９１に記載の方法。
【請求項９３】
無線通信装置であって、
割り当てられる１つ以上の資源ブロックの割り当て源である１つ以上のグループの明示を含む資源割り振り割り当てメッセージを入手すること及び前記資源割り振り割り当てメッセージを解読することによって前記１つ以上の割り当てられた資源ブロックを認識することに関連する命令を保持するメモリと、
前記メモリに結合されて前記メモリ内に保持された前記命令を実行するように構成されたプロセッサと、を備える、無線通信装置。
【請求項９４】
前記資源割り振り割り当てメッセージは、グループ固有シグナリング制約事項を利用して基地局から転送される請求項９３に記載の無線通信装置。
【請求項９５】
前記メモリは、ビットマップサイズに基づいて選択された資源ブロックグループ内に含まれる一組の物理資源ブロックからの物理資源ブロックを認識することに関連する命令をさらに保持する請求項９３に記載の無線通信装置。
【請求項９６】
前記ビットマップのアドレッシング部分は、前記選択された資源ブロックグループ内の物理資源ブロックをアドレッシングし、前記ビットマップの前記アドレッシング部分内の各ビットは、前記選択された資源ブロックグループ内の単一のアドレッシング可能物理資源ブロックをアドレッシングする請求項９５に記載の無線通信装置。
【請求項９７】
無線通信環境において割り振られた資源ブロックを採用するのを可能にする無線通信装置であって、
割り当てられる１つ以上の資源ブロックの割り当て源である１つ以上のグループの明示を含む割り当てメッセージを入手するための手段と、
前記割り当てメッセージを評価して前記１つ以上の割り当てられた資源ブロックを識別するための手段と、を備える、無線通信装置。
【請求項９８】
前記割り当てメッセージは、グループ固有シグナリング制約事項を利用して基地局から転送される請求項９７に記載の無線通信装置。
【請求項９９】
ビットマップサイズに基づいて選択された資源ブロックグループ内に含まれる一組の物理資源ブロックからの物理資源ブロックを認識するための手段をさらに備える請求項９７に記載の無線通信装置。
【請求項１００】
前記ビットマップのアドレッシング部分は、前記選択された資源ブロックグループ内の物理資源ブロックをアドレッシングし、前記ビットマップの前記アドレッシング部分内の各ビットは、前記選択された資源ブロックグループ内の単一のアドレッシング可能物理資源ブロックをアドレッシングする請求項９９に記載の無線通信装置。
【請求項１０１】
コンピュータプログラム製品であって、
割り当てられる１つ以上の資源ブロックの割り当て源である１つ以上のグループの明示を含む割り当てメッセージを入手するための符号と、
前記割り当てメッセージを評価して前記１つ以上の割り当てられた資源ブロックを識別するための符号と、を備えるコンピュータによって読み取り可能な媒体を備える、コンピュータプログラム製品。
【請求項１０２】
前記割り当てメッセージは、グループ固有シグナリング制約事項を利用して基地局から転送される請求項１０１にコンピュータプログラム製品。
【請求項１０３】
前記コンピュータによって読み取り可能な媒体は、ビットマップサイズに基づいて選択された資源ブロックグループ内に含まれる一組の物理資源ブロックからの物理資源ブロックを認識するための符号をさらに備える請求項１０１に記載のコンピュータプログラム製品。
【請求項１０４】
前記ビットマップのアドレッシング部分は、前記選択された資源ブロックグループ内の物理資源ブロックをアドレッシングし、前記ビットマップの前記アドレッシング部分内の各ビットは、前記選択された資源ブロックグループ内の単一のアドレッシング可能物理資源ブロックをアドレッシングする請求項１０３に記載のコンピュータプログラム製品。
【請求項１０５】
無線通信システムにおいて、装置であって、
割り当てられる１つ以上の資源ブロックの割り当て源である１つ以上のグループの明示を含む資源割り振り割り当てメッセージを受信し、及び
前記資源割り振り割り当てメッセージを解読することによって前記１つ以上の割り当てられた資源ブロックを決定するように構成されたプロセッサを備える、装置。
【発明の詳細な説明】
【技術分野】
【０００１】
関連出願の相互参照
本出願は、“A METHOD AND APPARATUS FOR FLEXIBLE SIGNALLING OF RESOURCES ON THE  CONTROL CHANNEL”（制御チャネルにおける資源の柔軟なシグナリングのための方法及び装置）という題名を有する米国仮特許出願一連番号６０／９１５，６６０（出願日：２００７年５月２日）の利益を主張するものである。上記の出願の全体が、参照されることによってここに組み入れられている、
以下の説明は、一般的には、無線通信に関するものである。以下の説明は、より具体的には、無線通信システムにおいて制御チャネルにおける資源の柔軟なシグナリングを採用することに関するものである。
【背景技術】
【０００２】
様々なタイプの通信を提供することを目的として無線通信システムが広範囲にわたって配備されている。例えば、該無線通信システムを介して音声及び／又はデータを提供することができる。典型的無線通信システム、又はネットワークは、１つ以上の共有資源（例えば、帯域幅、送信電力、等）へのアクセス権を複数のユーザーに提供することができる。例えば、システムは、様々な多元接続技法、例えば、周波数分割多重（ＦＤＭ）、時分割多重（ＴＤＭ）、符号分割多重（ＣＤＭ）、直交周波数分割多重（ＯＦＤＭ）、等を用いることができる。
【０００３】
一般的には、無線多元接続通信システムは、複数のアクセス端末に関する通信を同時にサポートすることができる。各アクセス端末は、順方向リンク及び逆方向リンクにおける送信を介して１つ以上の基地局と通信することができる。順方向リンク（又はダウンリンク）は、基地局からアクセス端末への通信リンクを意味し、逆方向リンク（又はアップリンク）は、アクセス端末から基地局への通信リンクを意味する。この通信リンクは、単入力単出力、多入力単出力又は多入力多出力（ＭＩＭＯ）システムを介して確立することができる。
【０００４】
ＭＩＭＯシステムは、共通して、データ送信に関して複数（ＮＴ）の送信アンテナ及び複数（ＮＲ）の受信アンテナを採用する。ＮＴの送信アンテナ及びＮＲの受信アンテナによって形成されるＭＩＭＯチャネルは、ＮＳの独立したチャネルに分解することができ、これらのチャネルは空間チャネルと呼ぶことができ、ここでＮＳ≦｛ＮＴ，ＮＲ｝である。ＮＳの独立したチャネルの各々は、次元に対応する。さらに、ＭＩＭＯシステムは、複数の送信アンテナ及び受信アンテナによって生成された追加の次元性が利用される場合に向上された性能（例えば、向上されたスペクトル効率、より高いスループット及び／又はより高い信頼性）を提供することができる。
【０００５】
ＭＩＭＯシステムは、順方向リンク通信及び逆方向リンク通信を共通の物理的媒体において分割する様々な二重化技法をサポートすることができる。例えば、周波数分割複信（ＦＤＤ）システムは、順方向リンク通信及び逆方向リンク通信に関して異種の周波数領域を利用することができる。さらに、時分割複信（ＴＤＤ）システムにおいては、順方向リンク及び逆方向リンク通信は、可逆性（ｒｅｃｉｐｒｏｃｉｔｙ）原則が逆方向リンクチャネルからの順方向リンクチャネルの推定を可能にするような共通周波数領域を採用することができる。
【０００６】
無線通信システムは、カバレッジエリアを提供する１つ以上の基地局をしばしば採用する。典型的基地局は、ブロードキャスト、マルチキャスト及び／又はユニキャストサービスに関する複数のデータストリームを送信することができ、データストリームは、アクセス端末が各々独立して受信することができるデータの流れであることができる。該基地局のカバレッジエリア内のアクセス端末は、１つのデータストリーム、２つ以上のデータストリーム、又は複合されたストリームによって搬送される全データストリームを受信するアクセス端末を採用することができる。同様に、アクセス端末は、基地局又は他のアクセス端末にデータを送信することができる。
【０００７】
基地局は、共通して、アップリンク送信及びダウンリンク送信をスケジューリングする。例えば、基地局は、特定のアクセス端末にダウンリンク送信を転送時に利用されるべき１つ以上の資源を割り振る（ａｌｌｏｃａｔｅ）ことができる。さらなる例として、基地局は、所定のアクセス端末から基地局にアップリンク送信を送るために採用されるべき１つ以上の資源ブロックを割り振ることができる。さらに、基地局は、該資源ブロック割り当て（ａｓｓｉｇｎｍｅｎｔ）に関してアクセス端末に通知するためのシグナリング方式を用いることができる。しかしながら、アップリンク又はダウンリンクチャネルと関連づけられた１つ以上の資源ブロックが特定のアクセス端末に割り振られることをその特定のアクセス端末に示すように設計された従来のシグナリング方式は、多量のオーバーヘッドをしばしば使用し及び／又は柔軟性がない可能性がある。一例により、共通シグナリング技法は、基地局によってアクセス端末に割り振ることができる各資源ブロックに各々のビットが対応し、従って各ビットは対応する資源ブロックが所定のアクセス端末に割り振られるかどうかを示すことができるビットマップ構造を用いることができる。非常に幅広い帯域幅（例えば、相対的に広範な周波数）において動作する広帯域通信環境において使用時は、資源ブロック割り振り（ａｌｌｏｃａｔｉｏｎ）をアクセス端末にシグナリングするために用いられるビット数は非常に多くなる可能性がある。従って、多大なオーバーヘッド使用量が全体的なシステム性能を妨害する及び／又は該シグナリング技法を非実際的又は実行不能にする可能性がある。
【発明の概要】
【０００８】
以下は、１つ以上の実施形態についての基本的な理解を可能にすることを目的としてこれらの実施形態の単純化された概要を示すものである。この概要は、すべての企図される実施形態を広範囲にわたって概説したものではなく、さらに全実施形態の主要な又は極めて重要な要素を識別すること及びいずれかの又はすべての実施形態の適用範囲を詳細に説明することのいずれも意図されていない。以下の説明の唯一の目的は、後述される発明を実施するための形態の準備段階として１つ以上の実施形態の幾つかの概念を単純な形で提示することである。
【０００９】
１つ以上の実施形態及び対応するその開示により、制御チャネルにおける資源ブロック割り当ての柔軟なシグナリングの採用を容易にすることに関係させて様々な側面が説明される。アップリンク又はダウンリンクチャネルと関連づけられた資源ブロックは、複数のグループに分割することができ、グループ固有シグナリング制約事項をこれらのグループの各々とともに利用することができる。例えば、前記グループ固有シグナリング制約事項は、各々のグループ内において資源ブロックを割り振ることを示す割り当て表示を送るために利用される最小資源ブロック割り振り単位、シグナリング構造（例えば、ビットマップ構造、連続割り振り構造、ツリーに基づく構造）、等に関連することができる。さらに、アクセス端末は、前記グループ固有シグナリング制約事項に関して共通の理解を有することができる。従って、受信された割り当て表示は、前記グループ固有シグナリング制約事項を利用することによって前記アクセス端末によって解読することができる。
【００１０】
関連する側面により、無線通信環境においてチャネルの資源ブロックを割り振るのを容易にする方法がここにおいて説明される。前記方法は、ダウンリンクを介して複数の資源ブロックグループに関するグループ固有シグナリング制約事項に関連する情報を送信することを含むことができる。さらに、前記方法は、前記グループのうちの１つ以上からの資源ブロックをアクセス端末に割り当てることを備えることができる。さらに、前記方法は、前記グループ固有シグナリング制約事項を用いて前記割り当てられた資源ブロックを前記アクセス端末にシグナリングすることを含むことができる。
【００１１】
他の側面は、無線通信装置に関連する。前記無線通信装置は、少なくとも部分的にグループ固有シグナリング制約事項に基づいて１つ以上の資源ブロックグループからの資源ブロックをアクセス端末に割り振ること、及び前記グループ固有シグナリング制約事項を用いて前記資源ブロック割り振りの表示を前記アクセス端末に転送することに関連する命令を保持するメモリを含むことができる。さらに、前記無線通信装置は、前記メモリに結合されて前記メモリ内に保持される前記命令を実行するように構成されたプロセッサを含むことができる。
【００１２】
さらに他の側面は、無線通信環境において柔軟な資源ブロック割り当てシグナリング方式を利用するのを可能にする無線通信装置に関連する。前記無線通信装置は、複数の資源ブロックグループに関するグループ固有シグナリング制約事項に関連する情報を送信するための手段を含むことができる。さらに、前記無線通信装置は、少なくとも１つのグループからの資源ブロックをアクセス端末に割り振るための手段を含むことができる。さらに、前記無線通信装置は、前記グループ固有シグナリング制約事項を用いて前記割り振られた資源ブロックに対応する表示を前記アクセス端末に送信するための手段を含むことができる。
【００１３】
さらに他の側面は、コンピュータによって読み取り可能な媒体を備えることができるコンピュータプログラム製品に関連する。前記コンピュータによって読み取り可能な媒体は、複数の資源ブロックグループに関するグループ固有シグナリング制約事項に関連する情報を転送するための符号を含むことができる。さらに、前記コンピュータによって読み取り可能な媒体は、少なくとも１つのグループからの資源ブロックをアクセス端末に割り振るための符号を備えることができる。さらに、前記コンピュータによって読み取り可能な媒体は、前記グループ固有シグナリング制約事項を用いて前記割り振られた資源ブロックに対応する表示を前記アクセス端末に送信するための符号を含むことができる。
【００１４】
他の側面により、無線通信システムにおける装置は、プロセッサを含むことができ、前記プロセッサは、少なくとも部分的にグループ固有シグナリング制約事項に基づいて１つ以上の資源ブロックグループからの資源ブロックをアクセス端末に割り振るように構成することができる。さらに、前記プロセッサは、前記グループ固有シグナリング制約事項を用いて制御チャネルを通じて前記資源ブロック割り振りの表示を前記アクセス端末に転送するように構成することができる。
【００１５】
その他の側面により、無線通信環境において資源ブロック割り当てを入手するのを容易にする方法がここにおいて説明される。前記方法は、複数の資源ブロックグループに関するグループ固有シグナリング制約事項に関連する情報を基地局から受信することを含むことができる。さらに、前記方法は、前記グループ固有シグナリング制約事項を利用して前記基地局から転送された割り当てメッセージを受信することを備えることができる。さらに、前記方法は、前記グループ固有シグナリング制約事項に基づいて前記割り当てメッセージを解読することによって割り振られた資源ブロックを決定することを備えることができる。
【００１６】
さらに他の側面は、制御チャネルを介してグループ固有シグナリング制約事項を利用して基地局から転送された割り当てメッセージを入手すること、及び前記グループ固有シグナリング制約事項を有する前記割り当てメッセージを解析することによって１つ以上の資源ブロックグループからの割り当てられた資源ブロックを決定することに関連する命令を保持するメモリを含むことができる無線通信装置に関連する。さらに、前記無線通信装置は、前記メモリに結合されて前記メモリ内に保持される前記命令を実行するように構成されたプロセッサを備えることができる。
【００１７】
他の側面は、無線通信環境において柔軟シグナリング方式を介して割り当てられた資源ブロックを採用するのを可能にする無線通信装置に関連する。前記無線通信装置は、２つ以上の資源ブロックグループに関するグループ固有シグナリング制約事項に関連する情報を基地局から入手するための手段を含むことができる。さらに、前記無線通信装置は、前記グループのうちの１つ以上からの１つ以上の資源ブロックの割り当てを示す表示を入手するための手段を備えることができ、前記表示は、前記グループ固有シグナリング制約事項を用いて通信される。さらに、前記無線通信装置は、前記グループ固有シグナリング制約事項を用いて前記表示を評価して前記割り当てられた１つ以上の資源ブロックを認識するための手段を含むことができる。
【００１８】
さらに他の側面は、コンピュータによって読み取り可能な媒体を備えることができるコンピュータプログラム製品に関連する。前記コンピュータによって読み取り可能な媒体は、ブロードキャストチャネルを介して２つ以上の資源ブロックグループに関するグループ固有シグナリング制約事項に関連する情報を基地局から受信するための符号を含むことができる。前記コンピュータによって読み取り可能な媒体は、前記グループのうちの１つ以上からの１つ以上の資源ブロックの割り当てを示す表示を受信するための符号を含むこともでき、前記表示は、制御チャネルを介して前記グループ固有シグナリング制約事項を用いて通信される。さらに、前記コンピュータによって読み取り可能な媒体は、前記グループ固有シグナリング制約事項を用いて前記表示を評価して前記割り当てられた１つ以上の資源ブロックを認識するための符号を含むことができる。
【００１９】
他の側面により、無線通信システムにおける装置は、プロセッサを含むことができ、前記プロセッサは、制御チャネルを介してグループ固有シグナリング制約事項を利用して基地局から転送された割り当てメッセージを受信し、及び前記グループ固有シグナリング制約事項を有する前記割り当てメッセージを解析することによって１つ以上の資源ブロックグループからの割り当てられた資源ブロックを決定するように構成することができる。
【００２０】
関連する側面により、無線通信環境においてチャネルの資源ブロックを割り当てるのを容易にする方法がここにおいて説明される。前記方法は、１つ以上の資源ブロックがアクセス端末に割り振られる１つ以上のグループの明示を含む資源割り振り割り当てメッセージを生成することを含むことができる。さらに、前記方法は、前記資源割り振り割り当てメッセージを前記アクセス端末に送信することを含むことができる。
【００２１】
他の側面は、無線通信装置に関連する。前記無線通信装置は、１つ以上の資源ブロックがアクセス端末に割り振られる１つ以上のグループの明示を含む資源割り振り割り当てメッセージを生成すること及び前記資源割り振り割り当てメッセージを前記アクセス端末に送信することに関連する命令を保持するメモリを含むことができる。さらに、前記無線通信装置は、前記メモリに結合されて前記メモリ内に保持される前記命令を実行するように構成されたプロセッサを含むことができる。
【００２２】
さらに他の側面は、無線通信環境において資源ブロック割り当てをシグナリングするのを可能にする無線通信装置に関連する。前記無線通信装置は、１つ以上の資源ブロックがアクセス端末に割り振られる１つ以上のグループの明示を含む割り当てメッセージを生成するための手段と、前記割り当てメッセージを前記アクセス端末に転送するための手段と、を含むことができる。
【００２３】
さらに他の側面は、コンピュータによって読み取り可能な媒体を備えることができるコンピュータプログラム製品に関連する。前記コンピュータによって読み取り可能な媒体は、１つ以上の資源ブロックがアクセス端末に割り振られる１つ以上のグループの明示を含む資源割り当てメッセージを生成するための符号を含むことができる。さらに、前記コンピュータによって読み取り可能な媒体は、前記割り当てメッセージを前記アクセス端末に転送するための符号を含むことができる。
【００２４】
他の側面により、無線通信システムにおける装置は、プロセッサを含むことができ、前記プロセッサは、１つ以上の資源ブロックがアクセス端末に割り振られる１つ以上のグループの明示を含む資源割り振り割り当てメッセージを生成し及び／又は前記資源割り振り割り当てメッセージを前記アクセス端末に送信するように構成することができる。
【００２５】
その他の側面により、無線通信環境において資源ブロック割り当てを受信するのを容易にする方法がここにおいて説明される。前記方法は、割り当てられる１つ以上の資源ブロックの割り当て源である１つ以上のグループの明示を含む資源割り当てメッセージを受信することを含むことができる。さらに、前記方法は、前記資源割り振り割り当てメッセージを解読することによって前記１つ以上の割り当てられた資源ブロックを決定することを含むこともできる。
【００２６】
さらに他の側面は、割り当てられる１つ以上の資源ブロックの割り当て源である１つ以上のグループの明示を含む資源割り振り割り当てメッセージを入手すること及び資源割り振り割り当てメッセージを解読することによって前記１つ以上の割り当てられた資源ブロックを認識することに関連する命令を保持するメモリを含むことができる無線通信装置に関連する。さらに、前記無線通信装置は、前記メモリに結合されて前記メモリ内に保持される前記命令を実行するように構成されたプロセッサを備えることができる。
【００２７】
他の側面は、無線通信環境において割り振られた資源ブロックを採用するのを可能にする無線通信装置に関連する。前記無線通信装置は、割り当てられる１つ以上の資源ブロックの割り当て源である１つ以上のグループの明示を含む割り当てメッセージを入手するための手段を含むことができる。さらに、前記無線通信装置は、前記割り当てメッセージを評価して前記１つ以上の割り当てられた資源ブロックを識別するための手段を備えることができる。
【００２８】
さらに他の側面は、コンピュータによって読み取り可能な媒体を備えることができるコンピュータプログラム製品に関連する。前記コンピュータによって読み取り可能な媒体は、割り当てられる１つ以上の資源ブロックの割り当て源である１つ以上のグループの明示を含む割り当てメッセージを入手するための符号を含むことができる。さらに、前記コンピュータによって読み取り可能な媒体は、前記割り当てメッセージを評価して前記１つ以上の割り当てられた資源ブロックを識別するための符号を備えることができる。
【００２９】
他の側面により、無線通信システムにおける装置は、プロセッサを含むことができ、前記プロセッサは、割り当てられる１つ以上の資源ブロックの割り当て源である１つ以上のグループの明示を含む資源割り振り割り当てメッセージを受信し及び前記資源割り振り割り当てメッセージを解読することによって前記１つ以上の割り当てられた資源ブロックを決定するように構成することができる。
【００３０】
上記の目的及び関連する目的を完遂させるために、前記１つ以上の前記実施形態は、以下において十分に説明され、請求項において特に強調される特徴を備える。以下の説明及び添付図面は、前記１つ以上の実施形態の一定の例示的側面を詳述するものである。しかしながら、これらの側面は、様々な実施形態の原理を採用することができる様々な方法のうちのほんのわずかを示しており、前記説明される実施形態は、これらのすべての側面及びその同等の側面を含むことが意図されている。
【図面の簡単な説明】
【００３１】
【図１】ここにおいて説明される様々な側面による無線通信システムを示した図である。
【図２】無線通信環境における柔軟な資源割り当てシグナリングを採用するシステム例を示した図である。
【図３】無線通信環境において格納されているグループ固有シグナリング制約事項を利用することによって柔軟なシグナリングを採用するシステム例を示した図である。
【図４】主題の開示の様々な側面による副帯域に分割される周波数帯域例を示した図である。
【図５】主題の開示の様々な側面による柔軟シグナリング方式例を示した図である。
【図６】主題の開示の様々な側面による柔軟シグナリング方式例を示した図である。
【図７】主題の開示の様々な側面による柔軟シグナリング方式例を示した図である。
【図８】主題の開示の様々な側面による柔軟シグナリング方式例を示した図である。
【図９】無線通信環境においてチャネルの資源ブロックを割り振るのを容易にする方法例を示した図である。
【図１０】無線通信環境において資源ブロック割り当てを入手するのを容易にする方法例を示した図である。
【図１１】無線通信環境においてチャネルの資源ブロックを割り当てるのを容易にする方法例を示した図である。
【図１２】無線通信環境において資源ブロック割り当てを受信するのを容易にする方法例を示した図である。
【図１３】無線通信システムにおいて資源ブロック割り当てを入手及び／又は利用するアクセス端末例を示した図である。
【図１４】無線通信環境において柔軟シグナリング方式を採用することを介してアクセス端末に資源ブロックを割り振るのを容易にするシステム例を示した図である。
【図１５】ここにおいて説明される様々なシステム及び方法と併用することができる無線ネットワーク環境例を示した図である。
【図１６】無線通信環境において柔軟な資源ブロック割り当てシグナリング方式を採用するのを可能にするシステム例を示した図である。
【図１７】無線通信環境において柔軟シグナリング方式を介して割り当てられた資源ブロックを採用するのを可能にするシステム例を示した図である。
【図１８】無線通信環境において資源ブロック割り当てをシグナリングするのを可能にするシステム例を示した図である。
【図１９】無線通信環境において割り振られた資源ブロックを採用するのを可能にするシステム例を示した図である。
【発明を実施するための形態】
【００３２】
次に、図面を参照して様々な実施形態が説明され、同一の要素については全図面に渡って同一の参照数字が用いられる。以下では、説明の目的上、１つ以上の実施形態について徹底的に理解できるようにするために数多くの具体的な詳細が示される。しかしながら、該実施形態は、これらの具体的な詳細なしで実践できることが明確であろう。その他の事例においては、１つ以上の実施形態に関する説明を容易にするためによく知られた構造及びデバイスがブロック図形で示される。
【００３３】
本出願において用いられる「構成要素」、「モジュール」、「システム」、等の用語は、ハードウェア、ファームウェア、ハードウェアとソフトウェアの組み合わせ、ソフトウェア、実行中のソフトウェアのいずれであるかにかかわらず、コンピュータに関連するエンティティを指すことが意図される。例えば、構成要素は、プロセッサ上で実行中のプロセス、プロセッサ、オブジェクト、エクセキュータブル、実行スレッド、プログラム、及び／又はコンピュータであることができるが、これらに限定されない。一例として、計算デバイスにおいて実行中のアプリケーション及びその計算デバイスの両方が構成要素であることができる。プロセス及び／又は実行スレッド内には１つ以上の構成要素が常駐することができ、構成要素は、１つのコンピュータ上に局在化する及び／又は２つ以上のコンピュータ間で分散させることができる。さらに、これらの構成要素は、様々なデータ構造が格納されている様々なコンピュータによって読み取り可能な媒体から実行可能である。これらの構成要素は、ローカル及び／又は遠隔プロセスによって、例えば１つ以上のデータパケット（例えば、ローカルシステム又は分散型システム内の他の構成要素と、及び／又はインターネット等のネットワークを通じて信号を用いてその他のシステムと、対話中の構成要素からのデータ）を有する信号に従って通信することができる。
【００３４】
ここにおいて説明される技法は、様々な無線通信システム、例えば、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、単搬送波−周波数分割多元接続（ＳＣ−ＦＤＭＡ）、及びその他のシステム等、に関して用いることができる。用語“システム”及び“ネットワーク”は、しばしば互換可能な形で用いられる。ＣＤＭＡシステムは、ユニバーサル地上無線アクセス（ＵＴＲＡ）、ＣＤＭＡ２０００、等の無線技術を実装することができる。ＵＴＲＡは、広帯域−ＣＤＭＡ（Ｗ−ＣＤＭＡ）と、ＣＤＭＡのその他の変形と、を含む。ＣＤＭＡ２０００は、ＩＳ−２０００、ＩＳ−９５及びＩＳ−８５６基準を網羅する。ＴＤＭＡシステムは、グローバル移動体通信システム（ＧＳＭ）等の無線技術を実装することができる。ＯＦＤＭＡシステムは、Ｅｖｏｌｖｅｄ  ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ、等の無線技術を実装することができる。ＵＴＲＡ及びＥ−ＵＴＲＡは、ユニバーサル移動体通信システム（ＵＭＴＳ）の一部である。３ＧＰＰロング・ターム・エボリューション（ＬＴＥ）は、Ｅ−ＵＴＲＡを使用し、ダウンリンクにおいてＯＦＤＭＡ及びアップリンクにおいてＳＣ−ＦＤＭＡを採用する、近い将来リリースされる予定のＵＭＴＳである。
【００３５】
単搬送波周波数分割多元接続（ＳＣ−ＦＤＭＡ）は、単搬送波変調及び周波数領域等化を利用する。ＳＣ−ＦＤＭＡは、ＯＦＤＭＡシステムと同様の性能及び基本的に同じ全体的複雑さを有する。ＳＣ−ＦＤＭＡ信号は、本質的に単搬送波構造であることに起因してより低いピーク対平均電力比（ＰＡＰＲ）を有する。ＳＣ−ＦＤＭＡは、例えば、より低いＰＡＰＲのほうが送信電力効率の点でアクセス端末にとって非常に有益であるアップリンク通信において用いることができる。従って、ＳＣ−ＦＤＭＡは、３ＧＰＰロングタームエボリューション（ＬＴＥ）又はＥｖｏｌｖｅｄ  ＵＴＲＡにおけるアップリンク多元接続方式として実装することができる。
【００３６】
さらに、様々な実施形態がここにおいてアクセス端末と関係させて説明される。アクセス端末は、システム、加入者ユニット、加入者局、移動局、モバイル、遠隔局、遠隔端末、モバイルデバイス、ユーザー端末、端末、無線通信デバイス、ユーザーエージェント、ユーザーデバイス、又はユーザー装置（ＵＥ）と呼ぶことも可能である。アクセス端末は、携帯電話、コードレスフォン、セッション開始プロトコル（ＳＩＰ）フォン、ワイヤレスローカルループ（ＷＬＬ）局、パーソナルデジタルアシスタント（ＰＤＡ）、無線接続能力を有するハンドヘルドデバイス、計算デバイス、又は無線モデムに接続されたその他の処理デバイスであることができる。さらに、ここにおいては様々な実施形態が基地局と関係させて説明される。基地局は、アクセス端末と通信するために利用することができ、アクセスポイント、ノードＢ、Ｅｖｏｌｖｅｄ  ＮｏｄｅＢ（ｅＮｏｄｅＢ）、又はその他の用語で呼ぶことも可能である。
【００３７】
さらに、ここにおいて説明される様々な側面又は特徴は、標準的なプログラミング及び／又はエンジニアリング技法を用いて製造方法、製造装置、又は製造品として実装することができる。ここにおいて用いられる“製造品”という表現は、コンピュータによって読み取り可能なデバイス、キャリヤ、又は媒体からアクセス可能なコンピュータプログラムを包含することが意図される。例えば、コンピュータによって読み取り可能な媒体は、磁気記憶装置（例えば、ハードディスク、フロッピー（登録商標）ディスク、磁気ストリップ）と、光学ディスク（例えば、コンパクトディスク（ＣＤ）、デジタルバーサタイルディスク（ＤＶＤ））と、スマートカードと、フラッシュメモリデバイス（例えば、ＥＰＲＯＭ、カード、スティック、キードライブ）と、を含むことができるが、これらに限定されない。さらに、ここにおいて説明される様々な記憶媒体は、情報を格納するための１つ以上のデバイス及び／又はその他の機械によって読み取り可能な媒体を表すことができる。“機械によって読み取り可能な媒体”という表現は、限定されることなしに、無線チャネル及び命令及び／又はデータを格納、内蔵、及び／又は搬送することができるその他の様々な媒体を含むことができる。
【００３８】
今度は図１に関して、ここにおいて提示される様々な実施形態による無線通信システム１００が示される。システム１００は、複数のアンテナグループを含むことができる基地局１０２を備える。例えば、１つのアンテナグループは、アンテナ１０４と１０６とを含むことができ、他のグループは、アンテナ１０８と１１０とを含むことができ、追加のグループは、アンテナ１１２と１１４とを含むことができる。各アンテナグループに関して２本のアンテナが示される。しかしながら、各グループに関してそれより多い又は少ないアンテナを利用することができる。当業者によって明確に理解されるように、基地局１０２は、送信機チェーンと受信機チェーンとをさらに含むことができ、これらの各々は、信号の送信及び受信と関連する複数の構成要素（例えば、プロセッサ、変調器、マルチプレクサ、復調器、デマルチプレクサ、アンテナ、等）を備えることができる。
【００３９】
基地局１０２は、１つ以上のアクセス端末、例えばアクセス端末１１６及びアクセス端末１２２、と通信することができる。しかしながら、基地局１０２は、アクセス端末１１６及び１２２に類似する実質上あらゆる数のアクセス端末と通信できることが明確に理解されるべきである。アクセス端末１１６及び１２２は、例えば、携帯電話、スマートフォン、ラップトップ、ハンドヘルド通信デバイス、ハンドヘルド計算デバイス、衛星無線、全地球測位システム、ＰＤＡ、及び／又は無線通信システム１００を通じて通信するためのその他の適切なデバイスであることができる。描かれるように、アクセス端末１１６は、アンテナ１１２及び１１４と通信し、アンテナ１１２及び１１４は、順方向リンク１１８を通じてアクセス端末１１６に情報を送信し、逆方向リンク１２０を通じてアクセス端末１１６から情報を受信する。さらに、アクセス端末１２２は、アンテナ１０４及び１０６と通信し、アンテナ１０４及び１０６は、順方向リンク１２４を通じてアクセス端末１２２に情報を送信し、逆方向リンク１２６を通じてアクセス端末１２２から情報を受信する。周波数分割複信（ＦＤＤ）システムにおいては、順方向リンク１１８は、逆方向リンク１２０によって用いられるのとは異なる周波数帯域を利用することができ、順方向リンク１２４は、例えば逆方向リンク１２６によって採用されるのとは異なる周波数帯域を採用することができる。さらに、時分割複信（ＴＤＤ）システムにおいては、順方向リンク１１８及び逆方向リンク１２０は、共通の周波数帯域を利用することができ、順方向リンク１２４及び逆方向リンク１２６は、共通の周波数帯域を利用することができる。
【００４０】
各アンテナグループ及び／又はこれらのアンテナが通信するように指定されているエリアは、基地局１０２のセクターと呼ぶことができる。例えば、アンテナグループは、基地局１０２によって網羅されたエリアのセクター内のアクセス端末に通信するように設計することができる。順方向リンク１１８及び１２４における通信においては、基地局１０２の送信アンテナは、アクセス端末１１６及び１２２に関する順方向リンク１１８及び１２４の信号対雑音比を向上させるためにビーム形成を利用することができる。さらに、基地局１０２は、関連するカバレッジ全体にわたって無作為に散在するアクセス端末１１６及び１２２に送信するためにビーム形成を利用する一方で、近隣セル内のアクセス端末は、単一のアンテナを通じて全アクセス端末に送信する基地局と比較してより少ない干渉を受けるようになることができる。
【００４１】
システム１００は、アクセス端末１１６及び１２２に各々割り振られた資源（例えば、資源ブロック）の柔軟なシグナリングを用いる。例えば、基地局１０２は、ダウンリンク制御チャネル、例えば、物理的ダウンリンク制御チャネル（ＰＤＣＣＨ）、においてこの柔軟シグナリング方式を利用し、ダウンリンク及び／又はアップリンクチャネル（例えば、物理的ダウンリンク共有チャネル（ＰＤＳＣＨ）、物理的アップリンク共有チャネル（ＰＵＳＣＨ）、．．．）と関連づけられた資源ブロック割り振りを示すことができる。従って、ここにおいて説明される柔軟シグナリング方式は、従来のシグナリング技法と比較して性能を向上させる柔軟性を基地局１０２（例えば、いずれの資源ブロックをいずれのアクセス端末１１６、１２２、．．．に割り振るかを判断する基地局１０２と関連づけられたスケジューラ）に提供する一方で低減されたオーバーヘッドを利用することができる。この柔軟シグナリング方式は、システム１００が（例えば、ＬＴＥ、Ｅ−ＵＴＲＡ、等と関連づけられた）大きな周波数帯域にわたって動作時に採用することができる。
【００４２】
柔軟シグナリング方式は、システム１００が動的スケジューリングモードにおいて動作時に利用することができる。システム１００によって用いられる柔軟シグナリング方式は、１つ以上の資源ブロックグループを採用することができる。さらに、各グループは、その所定のグループに属する資源ブロックに関する各々のシグナリング制約事項と関連づけることができる。異なる資源ブロックグループに関するシグナリング制約事項は、同様であること及び／又は異なることができる。２つの資源ブロックグループがシステム１００によって利用される例により、これらのグループの各々にそれぞれ関連するシグナリング制約事項の部分組は同じであることができ、他方、これらのグループの各々にそれぞれ関連するシグナリング制約事項の残りの部分は異なることができる。しかしながら、該例においては、すべてのシグナリング制約事項が２つのグループに関して異なることができ又は実質的に同じであることができることも企図される。
【００４３】
資源ブロックのグループ分け及びこれらの資源ブロックグループの各々に関して用いられる各々のシグナリング制約事項は、基地局１０２及びアクセス端末１１６及び１２２の両方によって知ることができる。一例として、基地局１０２は、資源ブロックをグループに分けること及び／又はシグナリング制約事項を資源ブロックグループのうちの１つ以上に適用することができる。従って、この例により、基地局１０２は、グループ及び／又は適用されたシグナリング制約事項に関連する情報をアクセス端末１１６及び１２２に行き渡らせることができる。例えば、該情報は、ブロードキャストチャネル（例えば、ブロードキャストチャネル（ＢＣＨ），、．．．）を通じて送信することができる。他の例により、予め決められた情報、例えば、資源ブロックグループ及び／又はこれらの資源ブロックグループのうちの１つ以上と関連づけられたシグナリング制約事項、は、基地局１０２及びアクセス端末１１６及び１２２の両方によって用いることができる。従って、該予め決められた情報の転送を基地局１０２によって実行する必要がない。さらに、予め決められた情報は、基地局１０２及びアクセス端末１１６及び１２２の各々のメモリ内に保持できることが明確に理解されるべきである。さらに、予め決められた情報は、基地局１０２のメモリ内に格納し、ダウンリンクを介してアクセス端末１１６及び１２２のうちの１つ以上に送信できることが企図される。さらに、例えば、資源ブロックグループ及び／又はシグナリング制約事項は、予め設定された機能に基づいて基地局１０２及び／又はアクセス端末１１６及び１２２によって決定することができる。
【００４４】
資源ブロックグループ及びシグナリング制約事項が基地局１０２及びアクセス端末１１６及び１２２の両方によって知られた時点で、基地局１０２は、１つのアクセス端末ごとに資源ブロック割り当てを生成及び／又はシグナリングすることができる。従って、例えば、所定のアクセス端末（例えば、アクセス端末１１６、アクセス端末１２２、．．．）に関する割り当ては、グループ及びその所定のアクセス端末に割り振られたグループ内の資源ブロックを指定することができる。該シグナリング方式の使用は、資源ブロック割り振りをアクセス端末１１６及び１２２に通知するために用いられるビット数を少なくし、その一方で（例えば異なるグループが異なるシグナリング制約事項を用いることができるため）柔軟性を基地局１０２に提供することができる。
【００４５】
次に、図２に関して、無線通信環境において資源割り当ての柔軟なシグナリングを採用するシステム２００が示される。システム２００は、ＬＴＥに基づく無線通信システム及び／又はＥ−ＵＴＲＡ に基づく無線通信システムであることができる。さらに加えて又は代替として、システム２００は、ＯＦＤＭに基づく構造を利用してアップリンク及びダウンリンクを介しての通信を可能にすることができる。システム２００は、基地局２０２とアクセス端末２０４とを含む。しかしながら、示されていないが、システム２００は、あらゆる数の基地局を含むことができ、これらの基地局の各々は、基地局２０２と同様であることができ、及び／又はあらゆる数のアクセス端末を含むことができ、これらのアクセス端末の各々は、アクセス端末２０４と同様であることができることが明確に理解されるべきである。基地局２０２は、ダウンリンクを介して情報、信号、データ、命令、コマンド、ビット、シンボル、等をアクセス端末２０４に転送することができる。さらに、アクセス端末２０４は、アップリンクを介して情報、信号、データ、命令、コマンド、ビット、シンボル、等を基地局２０２に転送することができる。
【００４６】
基地局２０２は、全周波数帯域幅を１つ以上の副帯域（例えば、Ｓの副帯域、Ｓのグループ、等であり、ここでＳは実質上あらゆる整数であることができる）に分割する帯域幅セグメンタ２０６を含むことができる。帯域幅セグメンタ２０６による作業が行われる全周波数帯域幅は、Ｒの資源ブロックを含むことができ、ここで、Ｒは、実質的にあらゆる整数であることができる。総資源ブロック数は、（例えば、Ｅ−ＵＴＲＡにおけるような）大きな動的範囲を有することができる。例えば、資源ブロック数の公称範囲は、６乃至１００であることができ、１．２５ＭＨｚ乃至２０ＭＨｚにそれぞれ対応することができる。他の例により、資源ブロック数に関する範囲は、６乃至１７０であることができる。しかしながら、請求される主題は、上記の範囲に限定されないことが明確に理解されるべきである。
【００４７】
各資源ブロックは、時間／周波数資源である。さらに、ここにおいて利用される用語資源ブロックは、仮想資源ブロック（ＶＲＢ）、物理資源ブロック（ＰＲＢ）、等を意味することができることが企図される。例えば、仮想資源ブロック割り振りは、基地局２０２によって（例えば、ＰＤＣＣＨ、等を介して）アクセス端末２０４にシグナリングすることができ、物理資源ブロックへの仮想資源ブロックのマッピングは別の場所において提供される（例えば、Ｓ−ＢＣＨ）。従って、第１の仮想資源ブロックは、システム２００によって用いられる周波数帯域幅内の第１の位置（例えば、第１の物理資源ブロック）には必ずしも対応しない。
【００４８】
帯域幅セグメンタ２０６は、総資源ブロック数を１つ以上のグループに分割する。一例として、帯域幅セグメンタ２０６は、総資源ブロック数を２つのグループに分割することができ、これらのグループの各々は、等しい数の資源ブロックを含むことができる。この例により、帯域幅セグメンタ２０６によってＲの資源ブロックを各々が等しい数の資源ブロックを有するＳのグループに分割することができ、従ってＳのグループの各々は、Ｒ／Ｓの資源ブロックを含むことができる。他の例により、帯域幅セグメンタ２０６は、異なる数の資源ブロックを含むグループを生成することができる。さらなる例により、帯域幅セグメンタ２０６は、同じ資源ブロック数を含む２つ以上のグループ及び同じ資源ブロック数を有するこれらの２つ以上のグループと比較して異なる資源ブロック数を含む少なくとも１つの異種のグループを生成することができる。さらに、帯域幅セグメンタ２０６によって生成された各グループと関連づけられた周波数は重なり合っておらず、従って、２つ以上の資源ブロックグループが帯域幅セグメンタ２０６によって生成時に所定の資源ブロックが１つのグループ内に含められる。さらに、帯域幅セグメンタ２００６によって生成されたグループは、副帯域のスケジューリング、周波数選択式スケジューリング、等を考慮する。さらに、帯域幅セグメンタ２００６を使用した結果生じる副帯域は、チャネル品質インジケータ（ＣＱＩ）報告粒度（ｇｒａｎｕｌａｒｉｔｙ）との関係を有さないことができる。
【００４９】
基地局２０２は、帯域幅セグメンタ２０６によって生成された各グループ内における資源ブロック割り振りを示すためのグループ固有シグナリング制約事項を選択することができるグループシグナリング制約イニシャライザ２０８をさらに含むことができる。さらに加えて又は代替として、グループシグナリング制約イニシャライザ２０８は、グループ固有シグナリング制約事項に関連する情報をアクセス端末２０４に送信することができる。一例により、グループシグナリング制約イニシャライザ２０８は、第１の資源ブロックグループと併用される第１の組のシグナリング制約事項、第２の資源ブロックグループと併用される第２の組のシグナリング制約事項、等に関連する情報を決定すること及び／又はダウンリンクを介して転送することができる。さらに、例えば、第１のグループとともに利用される１つ以上のシグナリング制約事項は、第２のグループとともに用いられる１つ以上のシグナリング制約事項と同じであることができる。さらに加えて又は代替として、第１のグループとともに用いられる１つ以上のシグナリング制約事項は、第２のグループとともに採用される１つ以上のシグナリング上の制約事項と異なることができる。
【００５０】
あらゆる種類のグループ固有シグナリング制約事項をグループシグナリング制約イニシャライザ２０８によって生成することができる。例えば、グループシグナリング制約イニシャライザ２０８によって制御されるシグナリング制約事項は、所定のグループにおいて利用される最小資源ブロック割り振り単位に関連することができる（例えば、最小割り振り単位は、Ｍの資源ブロックであることができ、ここでＭは実質上あらゆる整数であることができる）。従って、最小資源ブロック割り振り単位の違いは、異種の資源ブロックグループに関して異なる粒度を生み出すことが可能であり、これは、用途（例えば、音声、映像、メッセージ送信、等）の要求に基づくスケジューリングを可能にすることができる。さらなる例として、グループシグナリング制約イニシャライザ２０８によって実装されるシグナリング制約事項は、特定のグループに関して利用されるシグナリング構造であることができる。一例により、グループに関するシグナリング構造は、ビットマップ構造、連続割り振り構造（例えば、開始点と資源ブロック数、開始点と終了点、等）、ツリーに基づく構造（例えば、バイナリツリー、非バイナリツリー、例えばツリーの集合）、等であることができる。しかしながら、請求主題は、グループシグナリング制約イニシャライザ２０８によって１つのグループごとに割り振ることができるシグナリング制約事項の上例に限定されないことが明確に理解されるべきである。
【００５１】
さらに、基地局２０２は、アクセス端末２０４（及び／又はあらゆる異種のアクセス端末（示されない））によって用いられる１つ以上のグループにおいて資源ブロックを割り当てるスケジューラ２１０を含むことができる。スケジューラ２１０は、グループシグナリング制約イニシャライザ２０８によって説明されるように各グループと関連づけられたシグナリング制約事項を採用することによってアクセス端末２０４に該割り当てをシグナリングすることができる。２つの資源ブロックグループが用いられる例により、スケジューラ２１０は、アクセス端末２０４によって採用される第１のグループからの資源ブロック及び／又は第２のグループからの資源ブロックを割り振ることができる。さらに、スケジューラ２１０は、第１のグループからの資源ブロックの割り振りをシグナリングするための第１のグループと関連づけられたシグナリング制約事項及び／又は第２のグループからの資源ブロックの割り振りをシグナリングするための第２のグループと関連づけられたシグナリング制約事項を利用することができる。しかしながら、請求主題は、上記の説明に限定されない。
【００５２】
アクセス端末２０４は、シグナリング制約モニタ２１２と、割り当て評価器２１４とをさらに含むことができる。シグナリング制約モニタ２１２（及び／又はアクセス端末２０４）は、帯域幅セグメンタ２０６によって生成された資源ブロックグループ数に関連する情報を入手することができる。さらに、シグナリング制約モニタ２１２は、資源ブロックグループの各々と併用されるシグナリング制約事項に関連する情報を受信することができる。従って、シグナリング制約モニタ２１２は、基地局２０２のグループシグナリング制約イニシャライザ２０８によって送信されたＳのグループのシグナリング制約事項（例えば、グループ１シグナリング制約事項２１６、．．．、グループＳシグナリング制約事項２１８）に関連する情報を入手することができる。例えば、シグナリング制約モニタ２１２は、ブロードキャストチャネル（例えば、動的ブロードキャストチャネル（ＢＣＨ）、等）を介して該シグナリング制約関連情報を受信することができる。
【００５３】
さらに、シグナリング制約モニタ２１２によって決定されたグループ固有シグナリング制約事項２１６乃至２１８は、基地局２０２によって（例えば、スケジューラ２１０、等を介して）送信された受信された割り当てメッセージ（例えば、資源割り振り割り当てメッセージ、等）を解読するために割り当て評価器２１４によって利用することができる。例えば、割り当て評価器２１４は、１つ以上のグループにおける資源ブロックをアクセス端末２０４に割り振る共通割り当てメッセージを評価することができる。さらに、該評価に基づいて、アクセス端末２０４は、ダウンリンクを介して（例えば、ＰＤＳＣＨを通じて送信された）データを受信すること及び／又はアップリンクを介して（例えば、ＰＵＳＣＨを通じて）データを送信することができる。
【００５４】
一例により、資源ブロック表示（例えば、割り当てメッセージ、資源割り振り割り当てメッセージ、等）は、基地局２０２によって（例えば、スケジューラ２１０によって）ＰＤＣＣＨにおいて送信することができる。さらに、資源ブロック表示は、システム帯域幅に依存することができ（例えば、低帯域幅の場合は、ビットマップ構造及び１つの資源ブロックの最小割り振りを用いることができ、大きい帯域幅の場合は、２つの資源ブロックの最小割り振り及びシグナリングオーバーヘッドを低減させるためのその他のシグナリング制約事項を利用することができる）。シグナリング制約事項（例えば、スケジューリング制限）は、グループシグナリング制約イニシャライザ２０８による決定に従ってグループに基づくことができ、ここで、グループは、（例えば、帯域幅セグメンタ２０６、等によって生成された）一組の資源ブロックを意味する。従って、アクセス端末２０４及び／又は異種のアクセス端末は、複数のグループにおける資源を割り振ることができ、各グループに関して幾つかの制限を有する。異なるグループに関する制限は、異なること及び／又は同じであることができる。各グループにおける制限例は、ツリーに基づく構造、連続仮想資源構造、ビットマップ構造、等の使用であることができる。連続する（物理的）資源のサポートは、アップリンク許可に関して適切であることができ及びダウンリンク割り当てに関してもサポートすることができる。ダウンリンク割り当ては、単なる連続資源よりも柔軟であることができる。例えば、各グループにおいて連続構造、ビットマップ構造、又はツリーに基づく構造を有することが可能な、上述されるグループに基づく制限を用いることができる。さらに、Ｍの値（例えば、最小割り振りにおける資源ブロック数）を動的ＢＣＨにおいてシグナリングすることができる。
【００５５】
次に図３に関して、無線通信環境において格納されたグループ固有シグナリング制約事項を利用することによる柔軟シグナリングを採用するシステム３００が示される。システム３００は、基地局２０２と、アクセス端末２０４と、を含む。さらに、示されていないが、システム３００は、基地局２０２と類似するあらゆる数の異種基地局及び／又はアクセス端末２０４と類似するあらゆる数の異種のアクセス端末を含むことができる。さらに、上述されるように、基地局２０２は、スケジューラ２１０を含むことができ、アクセス端末２０４は、割り当て評価器２１４を含むことができる。
【００５６】
さらに、基地局２０２は、Ｓの資源ブロックグループに関するシグナリング制約事項を保持することができるメモリ３０２を備えることができる。従って、メモリ３０２は、グループ１シグナリング制約事項３０４、．．．、グループＳシグナリング制約事項３０６を含むことができる。グループ固有シグナリング制約事項３０４乃至３０６は、割り当てメッセージを生成、転送、等のときにスケジューラ２１０によって採用することができる。例えば、スケジューラ２１０がグループ１の資源ブロックをアクセス端末２０４に割り振るときには、グループ１シグナリング制約事項３０４（例えば、特定のシグナリング構造、特定の最小資源ブロック割り振り単位、等）を利用して該割り振りを通信することができる。
【００５７】
さらに、アクセス端末２０４は、基地局２０２によって利用されるＳの資源ブロックグループに関連するシグナリング制約事項を保持することができるメモリ３０８を含むこともできる。メモリ３０８は、グループ１シグナリング制約事項３１０、．．．、グループＳシグナリング制約事項３１２を含むことができる。割り当て評価器２１４は、基地局２０２から入手された受信された割り当てメッセージを解読するためにメモリ３０８内に保持されるグループ固有シグナリング制約事項３１０乃至３１２を利用することができる。その後は、アクセス端末２０４は、データを送信及び／又は受信するために受信された割り当てメッセージにおいて示される割り振られた資源ブロックを利用することができる。
【００５８】
基地局２０２のメモリ３０２内に格納されるシグナリング制約事項３０４乃至３０６は、アクセス端末２０４のメモリ３０８内に保持されるシグナリング制約事項３１０乃至３１２と実質的に同様であることができることが明確に理解されるべきである。さらに、アクセス端末２０４のメモリ３０８は、異種の基地局（示されていない）によって利用される異種のグループ固有シグナリング制約事項をさらに含むことができる。これらの異種のグループ固有シグナリング制約事項は、アクセス端末２０４が該異種の基地局から割り当てメッセージを入手する場合に用いることができる。
【００５９】
一例により、グループ固有シグナリング制約事項３０４乃至３０６は、基地局２０２のメモリ３０２内に格納することができる。さらに、基地局２０２は、グループ固有シグナリング制約事項３０４乃至３０６と関連づけられた情報をアクセス端末２０４に通信することができ、アクセス端末２０４は、この入手された情報をグループ固有シグナリング制約事項３１０乃至３１２としてメモリ３０８内に保持することができる。例えば、該情報は、図２のグループシグナリング制約イニシャライザ２０８によって送信することができる。しかしながら、請求される主題は、そのようには限定されない。他の例により、グループ固有シグナリング制約事項３０４乃至３０６は、ほとんど何時でも（例えば、アクセス端末２０４が基地局２０２の付近に移動した時点で、基地局２０２とアクセス端末２０４との間における通信が開始した時点で、基地局２０２がグループ固有シグナリング制約事項３０４乃至３０６のうちの１つ以上を生成及び／又は修正した時点で）アクセス端末２０４に転送することができる。さらに、例えば、アクセス端末２０４が基地局２０２の地理上の付近から離れて基地局２０２との通信が切断されたときに、メモリ３０８は、基地局２０２と関連づけられたグループ固有シグナリング制約事項３１０乃至３１２を保持し続けることができる（ただし、異種のグループ固有シグナリング制約事項は異種の基地局から入手された受信された割り当てメッセージを解析するために利用することができる）。
【００６０】
他の例（示されない）により、メモリ３０２及び／又はメモリ３０８は、各々のグループ固有シグナリング制約事項３０４乃至３０６及び３１０乃至３１２を生成するのを可能にする命令を含むことができる。例えば、命令は、グループ固有シグナリング制約事項を基地局２０２が通信するアクセス端末数（アクセス端末２０４を含む）、実行中の用途のタイプ（例えば、音声、ストリーミング映像、テキストメッセージ送信、電子メール、ウェブブラウジング、等）、利用可能帯域幅、トラフィック、サービス品質（ＯｏＳ）、資源ブロック割り当てを通信するために用いられる総ビット数、等の関数として生成するために（例えば、基地局２０２及び／又はアクセス端末２０４と関連づけられたプロセッサによって）利用することができる。しかしながら、主張される主題は、上例には限定されないことが明確に理解されるべきである。一例として、基地局２０２のメモリ３０２は、上記の命令を含むことができ、従って、グループ固有シグナリング制約事項３０４乃至３０６をそこから導き出すことができる。さらに、基地局２０２は、その後に、グループ固有シグナリング制約事項３０４乃至３０６に関連する情報をアクセス端末２０４に転送することができ、アクセス端末２０４は、該情報をメモリ３０８において保持することができる。代替として、基地局２０２及びアクセス端末２０４の両方が、各々のメモリ３０２及び３０８に格納することができる上記の命令に基づいてグループ固有シグナリング制約事項を決定することができる。
【００６１】
次に図４に関して、様々な側面により副帯域に分割される周波数帯域例４００が示される。周波数帯域４００は、Ｓの副帯域に分割することができ、示されるように、Ｓは３に等しい（例えば、副帯域４０２、副帯域４０４、及び副帯域４０６）。その一方で、各基地局は、実質的にあらゆるＳ値を利用することができる。さらに、周波数帯域４００は、Ｒの資源ブロックを含む。示されるように、副帯域４０２乃至４０６は、各々、等しい資源ブロック数（例えば、Ｒ／Ｓ）を含むことができるが、異なるサイズの副帯域を使用可能であることも企図される。
【００６２】
一例により、Ｓ値は、基地局によってシグナリングすることができる（例えば、基地局が交信するアクセス端末に送信することができる）。さらに加えて又は代替として、基地局は、各割り当てに関してこの情報を提供することができる。一側面においては、Ｓ値は、１回提供することができ、及び、アクセス端末がその基地局を通信のために用いる間はアクセス端末によって維持することができる。基地局は、各副帯域４０２乃至４０６に関する開始点を提供することもできる。開始点は、各副帯域に関して異なることができ、ネットワーク内の各基地局は、異なるＳ値を用いることができる。さらに、Ｓ値は、動的に修正することができる。
【００６３】
さらに、示されるように、各副帯域４０２乃至４０６は、各々のツリーに基づく構造（例えば、ツリーに基づく構造４０８、ツリーに基づく構造４１０、及びツリーに基づく構造４１２）を資源ブロック割り当てのシグナリングに関して用いることができる。従って、各副帯域４０２乃至４０６は、各々のサブツリーフォーマットで提供することができる。他の側面においては、近隣基地局のＳ値をアクセス端末によって受信及び維持することができる。
【００６４】
図５乃至８関して、主題開示の様々な側面による柔軟シグナリング方式例が示される。説明を単純化する目的上、これらの例の各々は、２４の資源ブロックを含む周波数帯域を描く。しかしながら、請求される主題と関係させて利用される周波数帯域にはあらゆる数の資源ブロックを含むことができることが企図される。さらに、これらの例は、これらの２４の資源ブロックの様々なグループ及びこれらのグループの各々に関して利用することができるシグナリング制約事項を示す。図５乃至８は、例示することを目的として提供され、開示される主題は、これらの例の適用範囲に限定されないことが明確に理解されるべきである。これらの例は、異なる周波数帯域、該周波数帯域内の資源ブロックグループ、シグナリング制約事項（例えば、最小割り振り単位、シグナリング構造、等）、割り振り単位割り当て、等を含むシステムにいかに拡大可能であるかを当業者は明確に理解すべきである。
【００６５】
次に図５に関して、２４の資源ブロックを含む周波数帯域５０２に適用される柔軟シグナリング方式例５００が示される。周波数帯域５０２の２４の資源ブロックは、３つのグループ、すなわち、１２の資源ブロックを含むグループ１  ５０４、６つの資源ブロックを含むグループ２  ５０６、及び６つの資源ブロックを含むグループ３  ５０８、に分割される。各グループ５０４乃至５０８は、各々のシグナリング制約事項が割り振られる。より具体的には、シグナリング構造及び最小資源ブロック割り振り単位は、各グループ５０４乃至５０８に割り振ることができる。示されるように、グループ５０４乃至５０８は、各々、ビットマップシグナリング構造を採用し、従って、各割り振り単位がアクセス端末に割り振られるかどうかは、転送可能な各々のビットを介して示すことができる（例えば、グループ５０４乃至５０８における各割り振り単位は、対応するビットと関連づけられる）。さらに、各グループ５０４乃至５０８は、用途上の要求に基づいた異なるスケジューリングを考慮することができる異なる粒度を有する（例えば、音声上の用途は、ストリーミング映像上の用途と比較してより少ない資源ブロックを割り振ることができる）。描かれるように、グループ１  ５０４内の最小割り振り単位は、４つの資源ブロックであり、グループ２  ５０６内の最小割り振り単位は、２つの資源ブロックであり、グループ３  ５０８内の最小割り振り単位は、１つの資源ブロックである。
【００６６】
さらに、周波数帯域５０２からの資源ブロックは、シグナリング制約事項により１つ以上のアクセス端末に割り当てることができる。示されるように、資源ブロックの部分組をアクセス端末１（ＡＴ１）に割り振ることができる。ビットマップシグナリング構造は本質的に柔軟であることに起因して、１つ以上のグループからの様々な資源ブロックをＡＴ１に割り当てることができる。従って、グループ１  ５０４からの２つの割り振り単位（各々が４つの資源ブロックに対応）、グループ２  ５０６からの２つの割り振り単位（各々が２つの資源ブロックに対応）、及びグループ３  ５０８からの３つの割り振り単位（各々が１つの資源ブロックに対応）をＡＴ１に割り振ることができる。さらに、該割り振りは、ＡＴ１にシグナリングすることができる。方式例５００においてはビットマップ構造が用いられるため、グループ内のあらゆる位置からＡＴ１（又はあらゆる異種のアクセス端末）に１つ以上の割り振り単位を割り当てることができる（例えば、所定のアクセス端末に割り当てられた特定のグループ内の第１の割り振り単位は、その特定のグループ内の第２の割り振り単位に隣接すること及び／又は隣接しないことができる）。
【００６７】
（例えば、グループ固有シグナリング制約事項を有する複数の資源ブロックグループが存在しない）従来のビットマップ手法においては、資源ブロック割り振りを示すために用いられるビット数は、資源ブロック数と等しいことができる。従って、従来のビットマップ方式に関して２４の資源ブロックが用いられる例により、割り当てをシグナリングするために２４ビットを用いることができる。従って、資源ブロック割り当てをシグナリングするために用いられるビット数は、帯域幅の増大に直接相関する（例えば、従来のビットマップ方式は、１．０８ＭＨｚの帯域幅に関する資源ブロック割り振りを示すために６ビット、４．５ＭＨｚの帯域幅に関して２５ビット、９ＭＨｚに関して５０ビット、１８ＭＨｚに関して１００ビット、２５．５ＭＨｚに関して１７０ビットを用いることができる）。
【００６８】
ビットマップシグナリング構造は、スケジューラに柔軟性を提供することができる。例えば、ＬＴＥ環境において、ＯＦＤＭ波形を用いるダウンリンクシグナリングに関して柔軟性を提供することができ、その一方で、ローカル化された単搬送波波形を用いることができるアップリンクスケジューリングに関しては存在しないことができる。他の例により、アップリンク及びダウンリンクの両方に関してＯＦＤＭ波形が用いられるアップリンク及びダウンリンクの両方のスケジューリングに関して柔軟性を提供することができる。しかしながら、ＰＤＣＣＨにおいて許容される総ビット数は非常に少数（例えば、５０ビット未満）であることができ、その理由は、このチャネルは、厳しいカバレッジ要件を対象にして設計できるためである。従って、従来のビットマップ技法は柔軟であることができる一方で、関連づけられたＰＤＣＣＨオーバーヘッドは、大きい帯域幅に関しては許容不能になる可能性がある。
【００６９】
以下は、共通ビットマップ手法の追加の側面を説明する。しかしながら、請求される主題は以下の例及び説明に限定されないことが明確に理解されるべきである。大きい帯域幅の動作の場合は、最小割り振り単位を変更することによってビットマップ手法を修正することができる。該手法は、ビットマップシグナリング方式に関連するオーバーヘッドを低減することができる。例えば、最小割り振りは、１２トーンからＭ＊１２トーンに変更することができる。該手法は、ビットマップ手法に関連するオーバーヘッドをＭ倍分だけ低減させることができる。しかしながら、Ｍが大きくなるのに従い、小さいパケットに関するパディングオーバーヘッドが増大する。さらに、最小割り振り単位に関して１２トーンを使用することは、ボイス・オーバー・インターネット・プロトコル（ＶｏＩＰ）、等のリアルタイム（ＲＴ）サービスに関する短いパケットに基づくことができる。この観点から、最小割り振りをＭ＊１２トーンに変更することは、ベストエフォート（ＢＥ）とリアルタイムのトラフィックの組み合わせに関してＶｏＩＰ容量及びシステム性能に対して直接的な影響を有する可能性がある。他の例により、大きい帯域幅の動作に関して、ビットマップ手法は、可変の最小割り振りによって修正することができ、ＲＴユーザーは１つの資源ブロックの増分ずつ割り当てられ、ＢＥユーザーはＭの資源ブロックの増分ずつ割り当てられる。従って、ＲＴのユーザーに割り当てられる資源ブロック数はＮｒに等しく、ＢＥのユーザーに割り当てられる資源ブロック数は、Ｎｂ＝Ｎ−Ｎｒに等しいと仮定することができる。従って、ＰＤＣＣＨにおいて用いられる総ビット数は、Ｎｒ＋ｃｅｉｌ（Ｎｂ／Ｍ）＝Ｎｒ＊（１−（１／Ｍ）＋（Ｎ／Ｍ）であることができる。上例により、ＲＴユーザーに割り振られる６つの資源ブロックを含む合計２５の資源ブロックがユーザーに割り振られるときには、Ｍ＝４のときにはＰＤＣＣＨにおけるシグナリングに関して１１ビットを用いることができ、Ｍ＝６のときにはシグナリングに関して１０ビットを用いることができる。さらに、ＲＴユーザーに割り振られる１２の資源ブロックを含む合計５０の資源ブロックがユーザーに割り振られるときには、Ｍ＝４のときにはＰＤＣＣＨにおけるシグナリングに関して２２ビットを用いることができ、Ｍ＝６のときにはシグナリングに関して１９ビットを用いることができる。さらに、ＲＴユーザーに割り振られる２５の資源ブロックを含む合計１００の資源ブロックがユーザーに割り振られるときには、Ｍ＝４のときにはＰＤＣＣＨにおけるシグナリングに関して４４ビットが用いられ、Ｍ＝６のときにはシグナリングに関して３８ビットが用いられる。従って、大きい帯域幅の場合は、ビット数がかなり多い可能性がある。このため、該手法は、許容可能なオーバーヘッドを提供できない可能性がある。さらに、ＶｏＩＰ容量は、Ｎｂの資源ブロックの一部が用いられる場合は多くてもＮｒの資源ブロック及びパディングオーバーヘッドを用いるという制限に起因して直接的な影響を受ける可能性がある。従って、方式５００は、従来の技法の上記の欠陥のうちの１つ以上に対処することができる。
【００７０】
図６に関して、２４の資源ブロックを含む周波数帯域６０２とともに利用される他の柔軟シグナリング方式例６００が示される。周波数帯域６０２の資源ブロックは、４つのグループ（例えば、グループ１  ６０４、グループ２  ６０６、グループ３  ６０８、及びグループ４  ６１０）に分離され、これらのグループの各々は、６つの資源ブロックを含む。各グループ６０４乃至６１０のシグナリング制約事項は、実質的にほぼ同じであることができる。すなわち、最小資源ブロック割り振り単位は、各グループ６０４乃至６１０に関する１つの資源ブロックであることができる。さらに、１つのグループ６０４乃至６１０ごとに連続割り振り構造を用いることができ、アクセス端末に関する各グループ６０４乃至６１０内での割り振りは、連続する幾つかの資源ブロックであることができる。従って、３つの連続する割り振り単位をグループ１  ６０４からＡＴ１に割り当てることができ、２つの連続する割り振り単位をグループ２  ６０６からＡＴ１に割り当てることができ、２つの連続する割り振り単位をグループ３  ６０８からＡＴ１に割り当てることができ、４つの連続する割り振り単位をグループ４  ６１０からＡＴ１に割り当てることができる。
【００７１】
資源ブロック割り振りの連続割り振りシグナリングは、開始点及び資源ブロック数を示すことによって行うことができる。例えば、（描かれるように．４つのグループ６０４乃至６１０ではなく）１つのグループを有する周波数帯域の場合は、シグナリングのために必要な総ビット数は、ｃｅｉｌ（ｌｏｇ２（Ｎ＊（Ｎ＋１）／２））であることができる。従って、この例により、開始点及び割り当てられた資源ブロック数を注記時には、１．０８ＭＨｚの帯域幅に関する資源ブロック割り振りを示すために５ビットを用いることができ、
４．５ＭＨｚの帯域幅に関しては９ビットを利用することができ、９ＭＨｚの帯域幅に関しては１１ビットを利用することができ、２５．５ＭＨｚの帯域幅に関しては１４ビットを用いることができ、以下同様である。従って、帯域幅が大きくなるのに従い、上述されるように従来のビットマップ手法を用いるのと比較して、開始点及び資源ブロック数の手法を用いることによって資源ブロック割り振りに関して用いられるビット数を大幅に減少させることができる。
【００７２】
周波数帯域内における１つのグループの使用を説明する上例とは対照的に、柔軟シグナリング方式６００は、複数の副帯域（例えば、複数のグループ）に関して（例えば、１つのグループごとの）１つの副帯域ごとの連続割り振りを用いる。従って、この構造においては、開始点及び資源ブロック数の両方が１つの副帯域ごとにシグナリングされる。さらに、用いられるビット数（Ｎｂ）は次のように決定することができる。
【数１】
2010526499.tif 000003
【００７３】
一例により、１つの資源ブロックの最小割り振り単位（Ｍ）を用いることができる。従って、５つの副帯域（Ｓ）が採用される場合は、４．５ＭＨｚの帯域幅に関する資源ブロック割り当てをシグナリングするために２０ビットを用いることができ、９ＭＨｚの帯域幅に関する割り当てをシグナリングするために３０ビットを用いることができ、１８ＭＨｚの帯域幅に関する割り当てをシグナリングするために４０ビットを利用することができ、以下同様である。さらに、５つの副帯域を維持しながら最小割り振り単位を２つの資源ブロックに変更することは、９ＭＨｚの帯域幅に関する資源ブロック割り当てをシグナリングするために２０ビット、１８ＭＨｚの帯域幅に関する資源ブロック割り当てをシグナリングするために３０ビットを用いることができることになる。
【００７４】
図７に関して、２４の資源ブロックを含む周波数帯域７０２と併用される他の柔軟シグナリング方式例７００が示される。周波数帯域７０２の資源ブロックは、３つのグループ（例えば、グループ１  ７０４、グループ２  ７０６、及びグループ３  ７０８）に分離される。グループ１  ７０４は、１２の資源ブロックを含み、グループ２  ７０６は、６つの資源ブロックを含み、グループ３  ７０８は、６つの資源ブロックを含む。さらに、グループ１  ７０４における最小割り振り単位は、２つの資源ブロックであり、他方、グループ２  ７０６及びグループ３  ７０８の両方とも最小割り振り単位は１つの資源ブロックである。さらに、柔軟シグナリング方式７００では１つのグループごとのツリーに基づく構造を利用することができる。従って、グループ１  ７０４に関してはツリー基づく構造７１０を用いることができ、グループ２  ７０６に関してはツリー基づく構造７１２を用いることができ、グループ３  ７０８に関してはツリー基づく構造７１４を利用することができる。さらに、ツリーに基づく構造７１０乃至７１４のうちの１つ以上のツリーに基づく構造内の特定のノードをＡＴ１に関して選択することができ、従って、対応する割り振り単位をＡＴ１に割り当てることができる。従って、例示されるノード選択は、ＡＴ１に割り振るためのグループ１  ７０４からの４つの割り振り単位、グループ２  ７０６からの２つの割り振り単位、及びグループ３  ７０８からの４つの割り振り単位を生成する。
【００７５】
シグナリング方式７００は、１つの副帯域ごとに資源ブロックツリーノードがシグナリングされる１つの副帯域ごとのツリーに基づく割り振り例に関連する。（描かれる異なるサイズのグループ７０４乃至７０８ではなく）等しい数の資源ブロックが各副帯域に含まれる例により、シグナリングに関して用いられるビット数は、次のように決定ことができる。
【数２】
2010526499.tif 000004
【００７６】
一例により、１つの資源ブロックの最小割り振り単位（Ｍ）を用いることができる。従って、５つの副帯域（Ｓ）が採用され及び（Ｍ−ａｒｙのツリー、ツリーの集合、等とは対照的に）各々のバイナリツリーが５つの副帯域のうちの各々と併用される場合は、４．５ＭＨｚの帯域幅に関する資源ブロック割り当てをシグナリングするために１７ビットを用いることができ、９ＭＨｚの帯域幅に関する割り当てをシグナリングするために２２ビットを用いることができ、１８ＭＨｚの帯域幅に関する割り当てをシグナリングするために２７ビットを利用することができ、以下同様である。さらに、各々が各々のバイナリツリーと関連づけられた、５つの副帯域を維持しながら最小割り振り単位を２つの資源ブロックに変更することは、その結果として、９ＭＨｚの帯域幅に関する資源ブロック割り当てをシグナリングするために２２ビット、１８ＭＨｚの帯域幅に関する資源ブロック割り当てをシグナリングするために２２ビットを用いることができることになり、以下同様である。例えば、複数の資源ブロックグループに関して用いられるツリーに基づくシグナリング構造は、ＰＤＣＣＨオーバーヘッドを低減させることを可能にし、その一方で非連続資源ブロックをシグナリングする能力を依然として保持することができる。基地局及びアクセス端末がこれらの構造に関して共通の理解を有するかぎりはあらゆるタイプのツリーに基づく構造（例えば、バイナリ、非バイナリ）を利用可能であることが明確に理解されるべきである。
【００７７】
次に図８に関して、周波数帯域８０２と併用されるさらなる柔軟シグナリング方式例８００が示される。周波数帯域８０２は、３つのグループ（例えば、グループ１  ８０４、グループ２  ８０６、及びグループ３  ８０８）に分離される２４の資源ブロックを含む。グループ１  ８０４は、１２の資源ブロックを含み、グループ２  ８０６は、６つの資源ブロックを含み、グループ３  ８０８は、６つの資源ブロックを含む。さらに、グループ１  ８０４内の最小割り振り単位は、２つの資源ブロックであり、他方、グループ２  ８０６及びグループ３  ８０８に関しては１つの資源ブロックの最小割り振り単位が用いられる。さらに、シグナリング構造の組み合わせが描かれる。すなわち、グループ１  ８０４に関してはビットマップシグナリング構造が用いられ、グループ２  ８０６に関しては第１のツリーに基づくシグナリング構造８１０が用いられ、グループ３  ８０８に関しては第２のツリーに基づくシグナリング構造８１２が用いられる。従って、示されるように、グループ１  ８０４からは４つの割り振り単位をビットマッピング方式でＡＴ１に割り当てることができ、第１のツリーに基づくシグナリング構造８１０からのノード選択に基づいてグループ２  ８０６からの２つの割り振り単位をＡＴ１に割り当てることができ、及び第２のツリーに基づくシグナリング構造８１２からのノード選択に基づいてグループ３  ８０８からの４つの割り振り単位をＡＴ１に割り当てることが可能である。
【００７８】
一例により、ダウンリンク割り当てに関する資源ブロックシグナリングは、ツリーに基づくシグナリング構造を用いることができ、アップリンク割り当てに関する資源ブロックシグナリングは、連続割り振りシグナリング構造を用いることができる。ダウンリンク割り当ての場合は、（Ｓ，Ｍ）の値はＳ−ＢＣＨにおいて示すことができる。さらに、資源ブロックツリーノードはＰＤＣＣＨにおいて示すことができる。さらに、アップリンク割り当ての場合は、Ｓは、（例えば、アップリンクに関して利用される単一の波形に起因して）ＬＴＥに基づく環境においては１であることができる。さらに、資源ブロック開始点及び資源ブロック数をＰＤＣＣＨにおいて示すことができる。その後は、アクセス端末は、ダウンリンク割り当てに関する（Ｓ，Ｍ）に従ってＰＤＣＣＨを復号してコーディングされたビットを解釈することができる。
【００７９】
図９乃至１２に関して、無線通信環境において制御チャネルにおける柔軟シグナリング方式を利用することに関連する方法が示される。説明を単純化することを目的として、これらの方法は一連の行為として示されて説明される一方で、幾つかの行為は、１つ以上の実施形態により、ここにおいて示されて説明される順序と異なる順序で及びその他の行為と同時並行して生じることができるため、これらの方法は行為の順序によって限定されないことが理解及び評価されるべきである。例えば、方法は例えば状態図内におけるように一連の相互に関連する状態又はイベントとして代替で表すことが可能であることを当業者は理解及び評価するであろう。さらに、１つ以上の実施形態に従って方法を実装するためにすべての例示される行為が要求されるわけではない。  
図９に関して、無線通信環境においてチャネルの資源ブロックを割り振るのを容易にする方法９００が示される。９０２において、複数の資源ブロックグループに関するグループ固有シグナリング制約事項に関連する情報をダウンリンクを介して送信することができる。例えば、あらゆる総数の利用可能資源ブロックを含む周波数帯域を利用することができる（例えば、Ｒの資源ブロックであり、ここでＲは実質上あらゆる整数であることができる）。さらに、資源ブロックは、アップリンクチャネル（例えば、物理的アップリンク共有チャネル（ＰＵＳＣＨ）、．．．）及び／又はダウンリンクチャネル（例えば、物理的ダウンリンク共有チャネル（ＰＤＳＣＨ），．．．）と関連づけることができる。周波数帯域内の利用可能資源ブロックの総数は、複数のグループ（例えば、副帯域）に分割することができる。利用可能資源ブロックの各々は、複数のグループのうちの１つに含められる（例えば、資源ブロックは、２つ以上のグループに含めることはできない）。一例として、利用可能資源ブロック総数が分割されるグループ数は、（例えば、予め設定された命令、交信中のアクセス端末の数及び型、実行中のアプリケーション、各基地局に特有のプロパティ、時間、等に基づいて）決定することができる。他の例により、グループ数は、予め決める（例えば、メモリ内に保持する）ことができる。さらに、利用可能資源ブロック総数は、あらゆる方法でグループ間で分割することができる（例えば、グループ間での資源ブロックの分割は、予め設定し、予め設定された命令、交信中のアクセス端末の数及び型、実行中のアプリケーション、各基地局に特有のプロパティ、時間、等に基づいて動的に決定することができる）。例えば、２つ以上のグループ又は全グループに等しい数の資源ブロックを含めることができ及び／又は２つ以上のグループ又は全グループに異なる数の資源ブロックを含めることができる。例えば、グループ数及び／又は複数のグループ間での資源ブロックの分割に関連する情報、近隣のアクセス端末に送信する（例えば、ダイナミックブロードキャストチャネル（ＢＣＨ）を介してシグナリングする）ことができる。
【００８０】
さらに、グループ固有シグナリング制約事項を複数のグループの各々に関して選択することができる。各グループは、その特定のグループにおける資源ブロックの割り振りを示すことに関する一組の対応するシグナリング制約事項を有することができる。例えば、グループ固有シグナリング制約事項は、所定のグループにおいて利用される最小資源ブロック割り振り単位であることができる（例えば、最小割り振り単位はＭの資源ブロックであることができ、ここでＭは実質上あらゆる整数であることができる）。他のグループ固有シグナリング制約事項は、特定のグループに関して用いられるシグナリング構造であることができる。シグナリング構造例は、ビットマップ構造、連続割り振り構造、ツリーに基づく構造、等であることができる。一例として、第１の資源ブロック数を含む第１のグループは、第１の最小割り振り単位及び第１のシグナリング構造と関連づけることができ、第２の資源ブロック数を含む第２のグループは、第２の最小割り振り単位及び第２のシグナリング構造と関連づけることができ、以下同様である。第１の資源ブロック数及び第２の資源ブロック数は、同じであること又は異なることができ、第１及び第２の最小割り振り単位は、同じであること又は異なることができ、及び／又は第１の及び第２のシグナリング構造は、同じであること又は異なることができる。さらに、グループ固有シグナリング制約事項は、資源ブロックグループの選択に関連する情報を含むことができる（例えば、グループ内に含めるために選択される資源ブロックであり、資源ブロックグループは明示することができ、１つ以上の異種のシグナリング制約事項をグループ内において利用することができる）。さらに、これらのグループの各々と関連づけられたグループ固有シグナリング制約事項に関連する情報を、（例えば、動的ＢＣＨにおいて）近隣のアクセス端末に送信することができる。従って、無線通信環境内においてグループ固有シグナリング制約事項についての共通の理解を持つことができる。代替として、近隣のアクセス端末は、該グループ固有シグナリング制約事項を命令の関数として決定すること及び／又は各々のメモリから取り出すことができる。
【００８１】
９０４において、資源ブロックは、１つ以上のグループからアクセス端末に割り当てることができる。この割り当ては、各グループに関するグループ固有シグナリング制約事項に従って生成される（例えば、連続割り振りシグナリング構造を用いるグループにおいて隣接する資源ブロックを割り振る、グループにおいて１つ以上の最小割り振り単位を割り振る、等）。さらに、１つ以上のグループから資源ブロックを割り振ることによって周波数選択式スケジューリングを行うことができる。一例により、資源ブロックがアクセス端末に割り振られる特定のグループは、実行中の用途（例えば、音声、ストリーミングデータ、メッセージ送信、等）、交信中のアクセス端末数、等の関数であることができる。
【００８２】
９０６において、割り当てられた資源ブロックは、グループ固有シグナリング制約事項を用いてアクセス端末にシグナリングすることができる。例えば、資源ブロック割り振りは、制御チャネル（例えば、物理的ダウンリンク制御チャネル（ＰＤＣＣＨ）、等）を介して示すことができる。各々がグループ固有シグナリング制約事項を有する複数のグループを利用することによって、資源ブロックのスケジューリング／割り当てに関する柔軟性をアクセス端末に提供しながら資源ブロック割り当てのシグナリングに用いられるビット数を減らすことができる。さらに、割り当てられた資源ブロックを介して通信されたデータは、アクセス端末に送信する及び／又はアクセス端末から受信することができる。
【００８３】
次に図１０に関して、無線通信環境において資源ブロック割り当てを入手するのを容易にする方法１０００が示される。１００２において、複数の資源ブロックグループに関するグループ固有シグナリング制約事項に関連する情報を基地局から受信することができる。資源ブロックは、アップリンクチャネル（例えば、物理的アップリンク共有チャネル（ＰＵＳＣＨ）及び／又はダウンリンクチャネル（例えば、物理的ダウンリンク共有チャネル（ＰＤＳＣＨ）と関連づけることができる。例えば、情報は、所定のグループにおいて利用される最小資源ブロック割り振り単位に関係することができる（例えば、最小割り振り単位はＭの資源ブロックであることができ、ここでＭは実質上あらゆる整数であることができる）。さらに加えて又は代替として、情報は、特定のグループに関して用いられるシグナリング構造（例えば、ビットマップ構造、連続割り振り構造、ツリーに基づく構造、等）に関連することができる。さらに、情報は、幾つかの資源ブロックグループ、各グループ内の幾つかの資源ブロック、各グループ内に含めるために選択された特定の資源ブロック、等に関連することができる。情報は、例えば、ブロードキャストチャネルを介して受信することができる。この情報が受信された時点で、グループ固有シグナリング制約事項をメモリに格納することができる。異種の基地局（又は２つ以上の基地局）によって送信される異種のグループ固有シグナリング制約事項に関連する異種の情報も同様に入手できる及び／又はメモリ内において保持できることも企図される。
【００８４】
１００４において、グループ固有シグナリング制約事項を利用して基地局から転送された割り当てメッセージを受信することができる。割り当てメッセージは、制御チャネル（例えば、物理的ダウンリンク制御チャネル（ＰＤＣＣＨ）、．．．）を介して入手することができる。１００６において、割り振られた資源ブロックは、グループ固有シグナリング制約事項に基づいて割り当てメッセージを解読することによって決定することができる。例えば、割り振られた資源ブロックは、利用可能な全資源ブロックの部分組であることができる。さらに、割り振られた資源ブロックは、複数のグループのうちの１つ以上からの資源ブロックであることができる。さらに、割り当てメッセージを解読した時点で、割り振られた資源ブロックは、データを送信するために（例えば、アップリンクに関連する場合）又はデータを受信するために（例えば、ダウンリンクに関連する場合）利用することができる。
【００８５】
図１１に関して、無線通信環境においてチャネルの資源ブロックを割り当てるのを容易にする方法１００が示される。１１０２において、１つ以上の資源ブロックがアクセス端末に割り振られる１つ以上のグループの明示を含む資源割り振り割り当てメッセージを生成することができる。例えば、これらの１つ以上のグループの各々に関して各々のグループ固有シグナリング制約事項を利用して割り振られた１つ以上の資源ブロックのシグナリングを行うことができる。以下は、資源割り振り割り当てメッセージの生成と関連づけられたさらなる側面を説明する。タイプ１の資源割り振りにおいては、|ＮＲＢＤＬ／Ｐ|のビットサイズは、Ｐの資源ブロック部分組のうちの１つからの物理資源ブロック（ＰＲＢ）の組（例えば、資源ブロック、，，，）からのＰＲＢをスケジューリングされたアクセス端末に示す。さらに、Ｐは、システム帯域幅と関連づけられた資源ブロックグループサイズである。選択された資源ブロックグループ（ＲＢＧ）部分組内のＰＲＢにアドレッシングするために用いられるビットマップ部分は、サイズＮＲＢＴＹＰＥ１を有し、
【数３】
2010526499.tif 000005
【００８６】
であると定義することができ、ここで、|ＮＲＢＤＬ／Ｐ|は、全体的ビットマップサイズであり、
【数４】
2010526499.tif 000006
【００８７】
は、ＰのＲＢＧ部分組のうちの１つを選択するために必要な最小ビット数である。さらに、選択されたＲＢＧ部分組のアドレッシング可能ＰＲＢが左寄せ又は右寄せ（例えば、右シフト）されているかどうかを示すために１つの追加ビットが用いられ、ここで、ＲＢＧ部分組内のＰＲＧ数はＮＲＢＴＹＰＥ１＜|ＮＲＢＤＬ／Ｐ|によって示されるビットマップのＰＲＢアドレッシング部分よりも大きいため、シフトは、搬送波内のすべてのＰＲＢの全資源ブロック粒度アドレッシング可能性に関して用いられる。ビットマップのＰＲＢアドレッシング部分内の各ビットは、左端のアドレッシング可能ＰＲＢから開始して選択されたＲＢＧ部分組内の単一のアドレッシング可能ＰＲＢにアドレッシングする。１１０４において、資源割り振り割り当てメッセージをアクセス端末に送信することができる。
【００８８】
次に図１２に関して、無線通信環境において資源ブロック割り当てを受信するのを容易にする方法１２００が示される。１２０２において、割り当てられる１つ以上の資源ブロックの割り当て源である１つ以上の資源ブロックグループの明示を含む資源割り振り割り当てメッセージを受信することができる。一例として、資源割り振り割り当てメッセージは、グループ固有シグナリング制約事項を利用して基地局から転送することができる。１２０４において、１つ以上の割り当てられた資源ブロックは、資源割り振り割り当てメッセージを解読することによって決定することができる。例えば、タイプ１の資源割り振りにおいては、|ＮＲＢＤＬ／Ｐ|のビットマップサイズは、割り当てることができるＰの資源ブロック部分組のうちの１つからの一組の物理資源ブロック（ＰＲＢ）（例えば、資源ブロック、，，，）の組からのＰＲＢを示す。さらに、Ｐは、システム帯域幅と関連づけられた資源ブロックグループサイズである。ビットマップのうちで選択された資源ブロックグループ（ＲＢＧ）部分組内のＰＲＢをアドレッシングするために用いられる部分は、サイズＮＲＢＴＹＰＥ１を有し、
【数５】
2010526499.tif 000007
【００８９】
であると定義することができ、ここで、|ＮＲＢＤＬ／Ｐ|は、全体的ビットマップサイズであり、
【数６】
2010526499.tif 000008
【００９０】
は、ＰのＲＢＧ部分組のうちの１つを選択するために必要な最小ビット数である。さらに、選択されたＲＢＧ部分組のアドレッシング可能ＰＲＢが左寄せ又は右寄せ（例えば、右シフト）されているかどうかを示すために１つの追加ビットが用いられ、ここで、ＲＢＧ部分組内のＰＲＧ数はＮＲＢＴＹＰＥ１＜|ＮＲＢＤＬ／Ｐ|によって示されるビットマップのＰＲＢアドレッシング部分よりも大きいため、シフトは、搬送波内のすべてのＰＲＢの全資源ブロック粒度アドレッシング可能性に関して用いられる。ビットマップのＰＲＢアドレッシング部分内の各ビットは、左端のアドレッシング可能ＰＲＢから開始して選択されたＲＢＧ部分組内の単一のアドレッシング可能ＰＲＢにアドレッシングする。
【００９１】
ここにおいて説明される１つ以上の側面により、資源ブロックの柔軟なシグナリングを採用することに関しても推論を行えることが明確に理解されるべきである。ここにおいて用いられる“推論する”又は“推論”という表現は、一般的には、システム、環境、及び／又はユーザーの状態をイベント及び／又はデータを介して取得された一組の観察事項から推量するか又は推論するプロセスを指す。推論は、特定の状況又は行動を識別するために採用することができるか、又は例えば状態に関する確率分布を生成することができる。推論は、確率論的、すなわち、データ及びイベントの考慮に基づいた対象状態に関する確率分布の計算であることができる。推論は、より高いレベルのイベントを一組のイベント及び／又はデータから組み立てるために採用される技法を指すこともできる。該推論の結果として、新しいイベント又は行動が一組の観察されたイベント及び／又は格納されたイベントデータから構築されることになり、これらのイベントが時間的に接近した形で相互に関連しているかどうか、及びこれらのイベント及びデータが１つ又は幾つかのイベント及びデータ源からのものであるかどうかを問わない。
【００９２】
一例により、上記の１つ以上の方法は、所定の資源ブロックグループに関して使用するシグナリング制約事項を決定することに関する推論を行うことを含むことができる。さらなる例により、ダウンリンク制御チャネルを通じて資源ブロック割り当てを送信するために基地局によって用いられるシグナリング制約事項を決定することに関連する推論を行うことができる。上例は例示的な性質を有すること及び行うことができる推論数又は該推論がここにおいて説明される様々な実施形態及び／又は方法と関係させて行われる方法を限定することは意図されないことが明確に理解されるべきである。
【００９３】
図１３は、無線通信システムにおいて資源ブロック割り当てを入手及び／又は利用するアクセス端末１３００を示す。アクセス端末１３００は、例えば受信アンテナ（示されていない）から信号を受信する受信機１３０２を備え、受信された信号に対して典型的動作（例えば、フィルタリング、増幅、ダウンコンバージョン、等）を行い、コンディショニングされた信号をデジタル化してサンプルを入手する。受信機１３０２は、例えばＭＭＳＥ受信機であることができ、及び、受信されたシンボルを復調してこれらのシンボルをチャネル推定のためにプロセッサ１３０６に提供することができる復調器１３０４を備えることができる。プロセッサ１３０６は、受信機１３０２によって受信された情報を解析すること及び／又は送信機１３１６による送信に関する情報を生成することを専用とするプロセッサ、アクセス端末１３００の１つ以上の構成要素を制御するプロセッサ、及び／又は受信機１３０２によって受信された情報を解析し、送信機１３１６による送信のための情報を生成し、及びアクセス端末１３００の１つ以上の構成要素を制御するプロセッサであることができる。
【００９４】
アクセス端末１３００は、プロセッサ１３０６に動作可能な形で結合され及び送信されるべきデータ、受信されたデータ、及びここにおいて説明される様々な動作及び機能を実行することに関連するその他の適切な情報を格納することができるメモリ１３０８をさらに備えることができる。例えば、メモリ１３０８は、１つ以上の基地局によって採用されるグループ固有シグナリング制約事項を格納することができる。メモリ１３０８は、資源ブロック割り当てを通信するために用いられるシグナリング制約事項を特定すること及び／又は該シグナリング制約事項を採用して受信された割り当てメッセージを解析することと関連づけられたプロトコル及び／又はアルゴリズムをさらに格納することができる。
【００９５】
ここにおいて説明されるデータ記憶装置（例えば、メモリ１３０８）は、揮発性メモリ又は非揮発性メモリであることができ、又は揮発性及び非揮発性の両メモリを含むことができることが明確に理解されるべきである。一例として、及び制限することなしに、非揮発性メモリは、読み取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、又はフラッシュメモリを含むことができる。揮発性メモリは、外部キャッシュメモリとして動作するランダムアクセスメモリ（ＲＡＭ）を含むことができる。一例として及び制限することなしに、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、及びダイレクトランバスＲＡＭ（ＤＲＲＡＭ）、等の数多くの形態で利用可能である。主題のシステム及び方法のメモリ１３０８は、制限されることなしに、これらの及びその他の適切な型のメモリを備えることが意図される。
【００９６】
受信機１３０２は、シグナリング制約モニタ１３１０及び／又は割り当て評価器１３１２に動作可能な形でさらに結合され、これらは、それぞれ、図２のシグナリング制約モニタ２１２及び図２の割り当て評価器２１４と実質的に同様であることができる。シグナリング制約モニタ１３１０は、１つ以上の基地局の各々によってそれぞれ採用されるグループ固有シグナリング制約事項について理解するためにこれらの１つ以上の基地局から情報を受信し及び／又は受信された情報を評価することができる。例えば、シグナリング制約モニタ１３１０は、ブロードキャストチャネルを介して該情報を入手することができる。一例として、グループ固有シグナリング制約事項を決定した時点で、シグナリング制約モニタ１３１０は、グループ固有シグナリング制約事項をメモリ１３０８に格納するのを可能にすることができる。さらに、割り当て評価器１３１２は、グループ固有シグナリング制約事項を用いて受信された資源ブロック割り当てメッセージを解析することができる。従って、割り当て評価器１３１２は、アクセス端末１３００に割り振られた資源ブロックを認識することができ、これらの割り振られた資源ブロックを利用することによってデータを送信及び／又は受信することができる。アクセス端末１３００は、変調器１３１４と、例えば基地局、他のアクセス端末、等に信号を送信する送信機１３１６と、をさらに備える。シグナリング制約モニタ１３１０、割り当て評価器１３１２及び／又は変調器１３１４は、プロセッサ１３０６とは別個に描かれているが、プロセッサ１３０６又は幾つかのプロセッサ（示されていない）の一部であることができることが明確に理解されるべきである。
【００９７】
図１４は、無線通信環境において柔軟シグナリング方式を採用することを介して資源ブロックをアクセス端末に割り振るのを容易にするシステム１４００を示す。システム１４００は、複数の受信アンテナ１４０６を通じて１つ以上のアクセス端末１４０４から信号を受信する受信機１４１０、及び送信アンテナ１４０８を通じて１つ以上のアクセス端末１４０４に送信する送信機１４２２を有する基地局１４０２（例えば、アクセスポイント、等）を備える。受信機１４１０は、受信アンテナ１４０６から情報を受信することができ、受信された情報を復調する復調器１４１２と動作可能な形で関連づけられる。復調されたシンボルは、図１３に関して上述されるプロセッサと類似であることができ及びアクセス端末１４０４（又は異種の基地局（示されていない））に送信されるべき又はアクセス端末１４０４（又は異種の基地局（示されていない））から受信されるべきデータ及び／又はここにおいて説明される様々な動作及び機能を実行することに関連するその他の適切な情報を格納するメモリ１４１６に結合されるプロセッサ１４１４によって解析される。プロセッサ１４１４は、グループ固有シグナリング制約事項を実装する及び／又は該グループ固有シグナリング制約事項と関連づけられた情報をアクセス端末１４０４に送信するグループシグナリング制約イニシャライザ１４１８にさらに結合される。グループシグナリング制約イニシャライザ１４１８は、グループ固有シグナリング制約事項を用いて１つ以上のグループからの各々の資源ブロックを１つ以上のアクセス端末１４０４に割り当てるスケジューラ１４２０に動作可能な形で結合することができる。グループ固有シグナリング制約事項を採用してスケジューラ１４２０によって１つ以上のアクセス端末１４０４に表示を送信することができる。グループシグナリング制約イニシャライザ１４１８は、図２のグループシグナリング制約イニシャライザ２０８と実質的に同様であることができ及び／又はスケジューラ１４２０は、図２のスケジューラ２１０と実質的に同様であることができることが企図される。さらに、グループシグナリング制約イニシャライザ１４１８及び／又はスケジューラ１４２０は、送信されるべき情報を変調器１４２２に提供することができる。変調器１４２２は、送信機１４２６によってアンテナ１４０８を通じてアクセス端末１４０４に送信するためにフレームを多重化することができる。グループシグナリング制約イニシャライザ１４１８、スケジューラ１４２０及び／又は変調器１４２２は、プロセッサ１４１４とは別個に描かれているが、プロセッサ１４１４又は幾つかのプロセッサ（示されていない）の一部であることができることが明確に理解されるべきである。
【００９８】
図１５は、無線通信システム例１５００を示す。無線通信システム１５００は、説明を簡潔にすることを目的として、１つの基地局１５１０及び１つのアクセス端末１５５０を描く。しかしながら、システム１５００は、２つ以上の基地局及び／又は２つ以上のアクセス端末を含むことができ、追加の基地局及び／又はアクセス端末は、後述される基地局例１５１０及びアクセス端末例１５５０と実質的に同様であるか又は異なることができることが明確に理解されるべきである。さらに、基地局１５１０及び／又はアクセス端末１５５０は、それらの間における無線通信を容易にするためにここにおいて説明されるシステム（図１乃至３、１３及び１４、及び１６及び１９）及び／又は方法（図９及び１０）を採用できることが明確に理解されるべきである。
【００９９】
基地局１５１０において、幾つかのデータストリームに関するトラフィックデータがデータ源１５１２から送信（ＴＸ）データプロセッサ１５１４に提供される。一例により、各データストリームは、各々のアンテナを通じて送信することができる。ＴＸデータプロセッサ１５１４は、コーディングされたデータを提供するためにトラフィックデータストリームに関して選択された特定のコーディング方式に基づいてそのデータストリームをフォーマット化、コーディング、及びインターリービングする。
【０１００】
各データストリームに関するコーディングされたデータは、直交周波数分割多重（ＯＦＤＭ）技法を用いてパイロットデータと多重化することができる。さらに加えて又は代替で、パイロットシンボルは、周波数分割多重化（ＦＤＭ）、時分割多重化（ＴＤＭ）、又は符号分割多重化（ＣＤＭ）することができる。パイロットデータは、典型的には、既知の方法で処理される既知のデータパターンであり、チャネル応答を推定するためにアクセス端末１５５０において用いることができる。各データストリームに関する多重化されたパイロット及びコーディングされたデータは、変調シンボルを提供するためにそのデータストリームに関して選択された特定の変調方式（例えば、二位相偏移変調（ＢＰＳＫ）、四位相偏移変調（ＱＰＳＫ）、Ｍ位相偏移変調（Ｍ−ＰＳＫ）、Ｍ−直交振幅変調（Ｍ−ＱＡＭ）、等）に基づいて変調する（例えば、シンボルマッピングする）ことができる。各データストリームに関するデータレート、コーディング、及び変調は、プロセッサ１５３０によって実行又は提供される命令によって決定することができる。
【０１０１】
データストリームに関する変調シンボルは、ＴＸ  ＭＩＭＯプロセッサ１５２０に提供することができ、ＴＸ  ＭＩＭＯプロセッサ１５２０は、（例えば、ＯＦＤＭに関する）変調シンボルをさらに処理することができる。次に、ＴＸ  ＭＩＭＯプロセッサ１５２０は、ＮＴの変調シンボルストリームをＮＴの送信機（ＴＭＴＲ）１５２２ａ乃至１５２２ｔに提供する。様々な実施形態においては、ＴＸ  ＭＩＭＯプロセッサ１５２０は、データストリームのシンボルに対して及びシンボルを送信中であるアンテナに対してビーム形成重みを適用する。
【０１０２】
各送信機１５２２は、各々のシンボルストリームを受信及び処理して１つ以上のアナログ信号を提供し、これらのアナログ信号をさらにコンディショニング（例えば、増幅、フィルタリング、及びアップコンバージョン）してＭＩＭＯチャネルで送信するのに適する変調された信号を提供する。さらに、送信機１５２２ａ乃至１５２２ｔからのＮＴの変調された信号がＮＴのアンテナ１５２４ａ乃至１５２４ｔからそれぞれ送信される。
【０１０３】
アクセス端末１５５０において、送信された変調された信号がＮＲのアンテナ１５５２ａ乃至１５５２ｒによって受信され、各アンテナ１５５２からの受信された信号は、各々の受信機（ＲＣＶＲ）１５５４ａ乃至１５５４ｒに提供される。各受信機１５５４は、各々の信号をコンディショニング（例えば、フィルタリング、増幅、及びダウンコンバージョン）し、コンディショニングされた信号をデジタル化してサンプルを提供し、これらのサンプルをさらに処理して対応する“受信された”シンボルストリームを提供する。
【０１０４】
ＲＸデータプロセッサ１５６０は、特定の受信機処理技法に基づいてＮＲの受信機１５５４からのＮＲの受信されたシンボルストリームを受け取り及び処理してＮＴの“検出された”シンボルストリームを提供する。ＲＸデータプロセッサ１５６０は、各検出されたシンボルストリームを復調、デインターリービング、及び復号してデータストリームに関するトラフィックデータを復元する。ＲＸデータプロセッサ１５６０による処理は、基地局１５１０におけるＴＸ  ＭＩＭＯプロセッサ１５２０及びＴＸデータプロセッサ１５１４によって行われる処理を補完するものである。
【０１０５】
プロセッサ１５７０は、上述されるようにいずれの利用可能な技術を利用すべきかを周期的に決定することができる。さらに、プロセッサ１５７０は、行列インデックス部分と順位値部分とを備える逆方向リンクメッセージを作成することができる。
【０１０６】
逆方向リンクメッセージは、通信リンク及び／又は受信されたデータストリームに関する様々なタイプの情報を備えることができる。逆方向リンクメッセージは、幾つかのデータストリームに関するトラフィックデータもデータ源１５３６から受け取るＴＸデータプロセッサ１５３８によって処理し、変調器１５８０によって変調し、送信機１５５４ａ乃至１５５４ｒによってコンディショニングし、基地局に送信して戻すことができる。
【０１０７】
基地局１５１０において、アクセス端末１５５０からの変調された信号は、アンテナ１５２４によって受信され、受信機１５２２によってコンディショニングされ、復調器１５４０によって復調され、ＲＸデータプロセッサ１５４２によって処理され、アクセス端末１５５０によって送信された逆方向リンクメッセージが抽出される。さらに、プロセッサ１５３０は、抽出されたメッセージを処理し、いずれのプリコーディング行列をビーム形成重みの決定のために用いるべきかを決定することができる。
【０１０８】
プロセッサ１５３０及び１５７０は、基地局１５１０及びアクセス端末１５５０における動作を指示（例えば、制御、調整、管理）することができる。各々のプロセッサ１５３０及び１５７０は、プログラムコード及びデータを格納するメモリ１５３２及び１５７２と関連づけることができる。プロセッサ１５３０及び１５７０は、アップリンク及びダウンリンクに関する周波数及びインパルス応答推定値を導き出すための計算をそれぞれ行うこともできる。
【０１０９】
一側面においては、論理チャネルは、制御チャネル及びトラフィックチャネルに分類される。論理制御チャネルは、システム制御情報をブロードキャストするためのＤＬチャネルである、ブロードキャスト制御チャネル（ＢＣＣＨ）を含むことができる。さらに、論理制御チャネルは、ページング情報を転送するＤＬチャネルである、ページング制御チャネル（ＰＣＣＨ）を含むことができる。さらに、論理制御チャネルは、１つの又は幾つかのＭＴＣＨに関するマルチメディアブロードキャスト及びマルチキャストサービス（ＭＢＭＳ）スケジューリング及び制御情報を送信するために用いられるポイント・ツー・マルチポイントＤＬチャネルである、マルチキャスト制御チャネル（ＭＣＣＨ）を備えることができる。一般的には、無線資源制御（ＲＲＣ）接続を確立後は、このチャネルは、ＭＢＭＳ（例えば、旧ＭＣＣＨ＋ＭＳＣＨ）を受信するＵＥのみによって用いられる。さらに、論理制御チャネルは、専用制御情報を送信し及びＲＲＣ接続を有するＵＥによって用いることができるポイント・ツー・ポイント双方向チャネルである、専用制御チャネル（ＤＣＣＨ）を含むことができる。一側面においては、論理トラフィックチャネルは、ユーザー情報転送のための１つのＵＥ専用のポイント・ツー・ポイント双方向チャネルである、専用トラフィックチャネル（ＤＴＣＨ）を備えることができる。さらに、論理トラフィックチャネルは、トラフィックデータを送信するためのポイント・ツー・マルチポイントＤＬチャネルに関するマルチキャストトラフィックチャネル（ＭＴＣＨ）を含むことができる。
【０１１０】
一側面においては、トランスポートチャネルがＤＬ及びＵＬに分類される。ＤＬトランスポートチャネルは、ブロードキャストチャネル（ＢＣＨ）と、ダウンリンク共有データチャネル（ＤＬ−ＳＤＣＨ）と、ページングチャネル（ＰＣＨ）と、を備える。ＰＣＨは、セル全体にブロードキャストし及びその他の制御／トラフィックチャネルに関して用いることができる物理層(ＰＨＹ)資源にマッピングすることによってＵＥ節電をサポートすることができる（例えば、ネットワークによってＵＥに不連続受信（ＤＲＸ）サイクルを示すことができる）。ＵＬトランスポートチャネルは、ランダムアクセスチャネル（ＲＡＣＨ）と、要求チャネル（ＲＥＱＣＨ）と、アップリンク共有データチャネル（ＵＬ−ＳＤＣＨ）と、複数のＰＨＴチャネルと、を備えることができる。
【０１１１】
ＰＨＹチャネルは、一組のＤＬチャネルとＵＬチャネルを含むことができる。例えば、ＤＬ  ＰＨＹチャネルは、共通パイロットチャネル（ＣＰＩＣＨ）、同期化チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割り当てチャネル（ＳＵＡＣＨ）、肯定応答チャネル（ＡＣＫＣＨ）、 ＤＬ物理的共有データチャネル（ＤＬ−ＰＳＤＣＨ）、ＵＬ電力制御チャネル（ＵＰＣＣＨ）、ページングインジケータチャネル（ＰＩＣＨ）、及び／又はロードインジケータチャネル（ＬＩＣＨ）を含むことができる。さらなる例として、ＵＬ  ＰＨＹチャネルは、物理的ランダムアクセスチャネル（ＰＲＡＣＨ）、チャネル品質インジケータチャネル（ＣＱＩＣＨ）、肯定応答チャネル（ＡＣＫＣＨ）、アンテナ部分組インジケータチャネル（ＡＳＩＣＨ）、共有要求チャネル（ＳＲＥＱＣＨ）、ＵＬ物理的共有データチャネル（ＵＬ−ＰＳＤＣＨ）、及び／又はブロードバンドパイロットチャネル（ＢＰＩＣＨ）を含むことができる。
【０１１２】
ここにおいて説明される実施形態は、ハードウェア、ソフトウェア、ファームウェア、ミドルウェア、マイクロコード、又はそのいずれかの組み合わせにおいて実装できることが理解されるべきである。ハードウェアにおいて実装する場合は、処理ユニットは、ここにおいて説明される機能を果たすように設計された１つ以上の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルロジックアレイ（ＦＰＧＡ）、プロセッサ、コントローラ、マイクロコントローラ、マイクロプロセッサ、その他の電子ユニット、又はその組み合わせ内に実装することができる。
【０１１３】
これらの実施形態がソフトウェア、ファームウェア、ミドルウェア、マイクロコード、プログラムコード又はコードセグメントにおいて実装されるときには、機械によって読み取り可能な媒体、例えば記憶構成要素、に格納することができる。コードセグメントは、手順、関数、サブプログラム、プログラム、ルーチン、サブルーチン、モジュール、ソフトウェアパッケージ、クラス、又は命令、データ構造、又はプログラム文の組み合わせを表すことができる。コードセグメントは、情報、データ、引数、パラメータ、又はメモリ内容を渡す及び／又は受け取ることによって他のコードセグメント又はハードウェア回路と結合させることができる。情報、引数、パラメータ、データ、等は、メモリを共有する、メッセージを渡す、トークンを渡す、ネットワーク送信、等を含むあらゆる適切な手段を用いて渡す、転送する、又は送信することができる。
【０１１４】
ソフトウェア内に実装する場合は、ここにおいて説明される技法は、ここにおいて説明される機能を果たすモジュール（例えば、手順、関数、等）とともに実装することができる。ソフトウェアコードは、メモリユニットに格納してプロセッサによって実行することができる。メモリユニットは、プロセッサ内に又はプロセッサの外部に実装することができ、プロセッサの外部に実装する場合は、当業において知られる様々な手段を通じて通信可能な形でプロセッサに結合させることが可能である。
【０１１５】
図１６に関して、無線通信環境において資源ブロック割り当てをシグナリングするための柔軟な方式を利用するのを可能にするシステム１６００が示される。例えば、システム１６００は、少なくとも部分的に基地局内に常駐することができる。システム１６００は、プロセッサ、ソフトウェア、又はその組合せ（例えばファームウェア）によって実装される機能を表す機能ブロックであることができる機能ブロックを含むものとして表されることが明確に理解されるべきである。システム１６００は、連携して動作することができる電気的構成要素から成る論理グループ１６０２を含む。例えば、論理グループ１６０２は、複数の資源ブロックグループに関するグループ固有シグナリング制約事項に関連する情報を送信するための電気的構成要素１６０４を含むことができる。例えば、この情報は、ブロードキャストチャネル（例えば、ダイナミックブロードキャストチャネル（ＢＣＨ）、．．．）を通じて転送することができる。さらに、この情報は、グループ固有最小割り振り単位、グループ固有シグナリング構造、グループ数、各々のグループ内の資源ブロック数、等に関連することができる。さらに、論理グループ１６０２は、少なくとも１つのグループからの資源ブロックをアクセス端末に割り振るための電気的構成要素１６０６を含むことができる。さらに、論理グループ１６０２は、グループ固有シグナリング制約事項を用いて割り振られた資源ブロックに対応する表示をアクセス端末に送信するための電気的構成要素１６０８を備えることができる。例えば、この表示は、制御チャネル（例えば、物理的ダウンリンク制御チャネル（ＰＤＣＣＨ）、．．．）を通じて転送することができる。さらに、システム１６００は、電気的構成要素１６０４、１６０６、及び１６０８と関連づけられた機能を実行するための命令を保持するメモリ１６１０を含むことができる。電気的構成要素１６０４、１６０６、及び１６０８は、メモリ１６１０の外部の電気的構成要素として示されている一方で、該電気的構成要素のうちの１つ以上がメモリ１６１０内に存在できることが理解されるべきである。
【０１１６】
図１７に関して、無線通信環境において柔軟シグナリング方式を介して割り当てられた資源ブロックを採用するのを可能にするシステム１７００が示される。システム１７００は、例えばアクセス端末内に常駐することができる。描かれるように、システム１７００は、プロセッサ、ソフトウェア、又はその組み合わせ（例えば、ファームウェア）によって実装される機能を表すことができる機能ブロックを含む。システム１７００は、連携して動作することができる電気的構成要素から成る論理グループ１７０２を含む。論理グループ１７０２は、２つ以上の資源ブロックグループに関するグループ固有シグナリング制約事項に関連する情報を基地局から入手するための電気的構成要素１７０４を含むことができる。さらに、論理グループ１７０２は、これらのグループのうちの１つ以上からの１つ以上の資源ブロックの割り当ての表示を入手するための電気的構成要素１７０６を含むことができ、表示は、グループ固有シグナリング制約事項を用いて通信することができる。さらに、論理グループ１７０２は、グループ固有シグナリング制約事項を用いて表示を評価して割り当てられた１つ以上の資源ブロックを認識するための電気的構成要素１７０８を含むことができる。さらに、システム１７００は、電気的構成要素１７０４、１７０６、及び１７０８と関連づけられた機能を実行するための命令を保持するメモリ１７１０を含むことができる。電気的構成要素１７０４、１７０６、及び１７０８は、メモリ１７１０の外部の電気的構成要素として示されている一方で、該電気的構成要素はメモリ１７１０内に存在できることが理解されるべきである。
【０１１７】
図１８に関して、無線通信環境において資源ブロック割り当てをシグナリングするのを可能にするシステム１８００が示される。例えば、システム１８００は、少なくとも部分的に基地局内に常駐することができる。システム１８００は、プロセッサ、ソフトウェア、又はその組合せ（例えばファームウェア）によって実装される機能を表す機能ブロックであることができる機能ブロックを含むものとして表されることが明確に理解されるべきである。システム１８００は、連携して動作することができる電気的構成要素から成る論理グループ１８０２を含む。例えば、論理グループ１８０２は、１つ以上の資源ブロックがアクセス端末に割り振られる１つ以上のグループの明示を含む割り当てメッセージを生成する電気的構成要素１８０４を含むことができる。さらに、論理グループ１８０２は、割り当てメッセージをアクセス端末に転送するための電気的構成要素１８０６を含むことができる。さらに、システム１８００は、電気的構成要素１８０４及び１８０６と関連づけられた機能を実行するための命令を保持するメモリ１８０８を含むことができる。電気的構成要素１６０４及び１６０６は、メモリ１８０８の外部の電気的構成要素として示されている一方で、該電気的構成要素のうちの１つ以上がメモリ１８０８内に存在できることが理解されるべきである。
【０１１８】
図１９に関して、無線通信環境において割り振られた資源ブロックを採用するのを可能にするシステム１９００が示される。システム１９００は、例えばアクセス端末内に常駐することができる。描かれるように、システム１９００は、プロセッサ、ソフトウェア、又はその組み合わせ（例えば、ファームウェア）によって実装される機能を表すことができる機能ブロックを含む。システム１９００は、連携して動作することができる電気的構成要素から成る論理グループ１９０２を含む。論理グループ１９０２は、割り当てられる１つ以上の資源ブロックの割り当て源である１つ以上のグループの明示を含む割り当てメッセージを入手するための電気的構成要素１９０４を含むことができる。さらに、論理グループ１９０２は、割り当てメッセージを評価して１つ以上の割り当てられた資源ブロックを識別するための電気的構成要素１９０６を含むことができる。さらに、システム１９００は、電気的構成要素１９０４及び１９０６と関連づけられた機能を実行するための命令を保持するメモリ１９０８を含むことができる。電気的構成要素１９０４及び１９０６は、メモリ１９０８の外部の電気的構成要素として示されている一方で、該電気的構成要素はメモリ１９０８内に存在できることが理解されるべきである。
【０１１９】
上述されていることは、１つ以上の実施形態の例を含む。当然のことであるが、上記の実施形態を説明することを目的として構成要素又は方法の考えられるあらゆる組み合わせを説明することは可能ではないが、様々な実施形態のさらに数多くの組み合わせ及び置換が可能であることを当業者は認識することができる。従って、説明される実施形態は、添付された請求項の精神又は適用範囲内にあるあらゆる変更、修正及び変形を包含することが意図されている。さらに、発明を実施するための形態又は請求項の範囲において“含む”という表現が用いられている限りにおいて、該表現は、“備える”という表現が請求項において移行語として採用されたときの解釈と同様の包含性を有することが意図されている。
【図１】
2010526499.tif 000009
【図２】
2010526499.tif 000010
【図３】
2010526499.tif 000011
【図４】
2010526499.tif 000012
【図５】
2010526499.tif 000013
【図６】
2010526499.tif 000014
【図７】
2010526499.tif 000015
【図８】
2010526499.tif 000016
【図９】
2010526499.tif 000017
【図１０】
2010526499.tif 000018
【図１１】
2010526499.tif 000019
【図１２】
2010526499.tif 000020
【図１３】
2010526499.tif 000021
【図１４】
2010526499.tif 000022
【図１５】
2010526499.tif 000023
【図１６】
2010526499.tif 000024
【図１７】
2010526499.tif 000025
【図１８】
2010526499.tif 000026
【図１９】
2010526499.tif 000027
【国際調査報告】
2010526499.tif 000028
2010526499.tif 000029
2010526499.tif 000030